(57)【要約】本出願は、ＲＲＵどうしの間における較正偏差を低減して較正精度を改善するために、較正方法および装置を提供し、通信テクノロジーの分野に関連している。この方法は、ＲＲＵの制御装置によって、集中制御装置によって送信されたリソース構成情報を受信するステップであって、リソース構成情報によって示される時間／周波数リソースは、ＲＲＵとｎ個のその他のＲＲＵとの間において較正信号を送信および受信するために使用され、ｎ個のその他のＲＲＵは、較正パストポロジ内のＲＲＵであり、ＲＲＵと、ｎ個のその他のＲＲＵのそれぞれとの間における較正パスのホップの量は１であり、較正パストポロジ内のいずれか２つのＲＲＵの間における最も短い較正パスのホップの量は、ホップ量しきい値以下である、ステップと、リソース構成情報に基づいて、時間／周波数リソース上で較正信号を送信および受信するようにＲＲＵを制御するステップと、ＲＲＵによって送信および受信された較正信号に基づいてパス情報のｍ個のグループを入手するステップと、パス情報のｍ個のグループに基づいてｍ個の較正係数を入手するステップと、ｍ個の較正係数を使用することによってＲＲＵのＭ個のチャネルを補償するステップとを含む。
2021505085.tif 000002
【特許請求の範囲】
【請求項１】
リモートラジオユニットＲＲＵの制御装置によって、集中制御装置によって送信されたリソース構成情報を受信するステップであって、前記リソース構成情報によって示される時間／周波数リソースは、前記ＲＲＵとｎ個のその他のＲＲＵとの間において較正信号を送信および受信するために使用され、前記ｎ個のその他のＲＲＵは、前記集中制御装置によって決定された較正パストポロジ内のＲＲＵであり、前記ＲＲＵと、前記ｎ個のその他のＲＲＵのそれぞれとの間における較正パスのホップの量は１であり、前記較正パストポロジ内のいずれか２つのＲＲＵの間における最も短い較正パスのホップの量は、事前に設定されたホップ量しきい値以下であり、ｎは、１以上の自然数である、ステップと、
前記ＲＲＵの前記制御装置によって前記リソース構成情報に基づいて、前記時間／周波数リソース上で較正信号を送信および受信するように前記ＲＲＵを制御するステップと、
前記ＲＲＵの前記制御装置によって、前記ＲＲＵによって送信および受信された前記較正信号に基づいてパス情報のｍ個のグループを入手するステップであって、ｍ＝１であり、またはｍ＝Ｍであり、Ｍは、前記ＲＲＵのチャネルの量であり、パス情報の前記ｍ個のグループのそれぞれは、前記ＲＲＵの１つのチャネルと、前記ｎ個のその他のＲＲＵとの間におけるｎ個の較正パスのパス情報を含む、ステップと、
前記ＲＲＵの前記制御装置によって、パス情報の前記ｍ個のグループに基づいてｍ個の較正係数を入手するステップと、
前記ＲＲＵの前記制御装置によって、前記ｍ個の較正係数を使用することによって前記ＲＲＵの前記Ｍ個のチャネルを補償するステップと
を含む較正方法。
【請求項２】
前記ＲＲＵの前記制御装置によって、パス情報の前記ｍ個のグループに基づいてｍ個の較正係数を入手する前記ステップは、
前記ＲＲＵの前記制御装置によって、パス情報の前記ｍ個のグループに基づいて前記ｍ個の較正係数を計算するステップ、または
前記ＲＲＵの前記制御装置によって、パス情報の前記ｍ個のグループを前記集中制御装置へ送信し、それによって前記集中制御装置は、パス情報の前記ｍ個のグループに基づいて前記ｍ個の較正係数を計算するステップと、
前記ＲＲＵの前記制御装置によって、前記集中制御装置によって送信された前記ｍ個の較正係数を受信するステップとを含む請求項１に記載の方法。
【請求項３】
前記Ｍ個のチャネルが較正されていない場合には、ｍ＝Ｍであり、パス情報の前記ｍ個のグループは、前記Ｍ個のチャネルに１対１で対応し、前記ｍ個の較正係数は、前記Ｍ個のチャネルに１対１で対応する請求項１または２に記載の方法。
【請求項４】
前記ＲＲＵの前記制御装置によって前記リソース構成情報に基づいて、前記時間／周波数リソース上で較正信号を送信および受信するように前記ＲＲＵを制御する前記ステップは、
前記ＲＲＵの前記制御装置によって前記リソース構成情報に基づいて、Ｍ個の異なるキャリアリソース上で前記ｎ個のその他のＲＲＵのそれぞれへ較正信号を同時に送信するように、および前記ｎ個のその他のＲＲＵによって送信された較正信号をｎ個の異なる周波数ドメインリソース上で同時に受信するように前記Ｍ個のチャネルを制御するステップを含む請求項３に記載の方法。
【請求項５】
前記リソース構成情報は、前記ＲＲＵの較正クラスタ番号をさらに含み、前記ＲＲＵの前記制御装置によって前記リソース構成情報に基づいて、前記時間／周波数リソース上で較正信号を送信および受信するように前記ＲＲＵを制御する前記ステップは、
前記ＲＲＵの前記制御装置によって前記較正クラスタ番号に基づいて、前記ＲＲＵによって送信されて前記較正クラスタ番号に対応する較正信号を制御するステップであって、前記ＲＲＵによって送信される前記較正信号、および前記ＲＲＵの前記較正クラスタ番号とは異なる較正クラスタ番号を有するＲＲＵによって送信される較正信号が符号分割直交している、ステップを含む請求項１乃至４のいずれか一項に記載の方法。
【請求項６】
前記ＲＲＵは、サブクラスタ内のＲＲＵであり、前記方法は、
前記ＲＲＵの前記制御装置によって、クラスタ間較正係数を受信するステップであって、前記クラスタ間較正係数は、基準サブクラスタ内の基準ＲＲＵに対する、前記ＲＲＵが属する前記サブクラスタ内の基準ＲＲＵの較正係数であり、前記ｍ個の較正係数は、前記ＲＲＵが属する前記サブクラスタ内の前記基準ＲＲＵに対する前記ＲＲＵの較正係数である、ステップをさらに含み、
前記ＲＲＵの前記制御装置によって、前記ｍ個の較正係数を使用することによって前記ＲＲＵの前記Ｍ個のチャネルを補償する前記ステップは、
前記ＲＲＵの前記制御装置によって、前記ｍ個の較正係数に前記クラスタ間較正係数を別々に乗じて、ｍ個の結合較正係数を入手するステップと、
前記ＲＲＵの前記制御装置によって、前記ｍ個の結合較正係数を使用することによって前記ＲＲＵの前記Ｍ個のチャネルを補償するステップとを含む請求項１乃至５のいずれか一項に記載の方法。
【請求項７】
前記ＲＲＵは、サブクラスタ内のＲＲＵであり、前記方法は、
前記ＲＲＵの前記制御装置によって、ｉ個のその他のサブクラスタのそれぞれの中のＲＲＵとの間で較正信号を送信および受信して、前記ＲＲＵと、前記ｉ個のその他のサブクラスタ内の前記ｉ個のＲＲＵとの間におけるｉ個のクラスタ間較正パスのパス情報を入手するように前記ＲＲＵを制御するステップであって、ｉ≧１であり、ｉは整数である、ステップと、
前記ＲＲＵの前記制御装置によって、前記ｉ個の較正パスの前記パス情報に基づいてクラスタ間較正係数を入手するステップと、
前記ＲＲＵの前記制御装置によって、前記ＲＲＵが属する前記サブクラスタ内の別のＲＲＵの制御装置へ前記クラスタ間較正係数を送信するステップとをさらに含み、
前記ＲＲＵの前記制御装置によって、前記ｍ個の較正係数を使用することによって前記ＲＲＵの前記Ｍ個のチャネルを補償する前記ステップは、
前記ＲＲＵの前記制御装置によって、前記ｍ個の較正係数に前記クラスタ間較正係数を別々に乗じて、ｍ個の結合較正係数を入手するステップを含む請求項１乃至５のいずれか一項に記載の方法。
【請求項８】
集中制御装置によって、Ｎ個のリモートラジオユニットＲＲＵの間における信号品質に基づいて較正パストポロジを決定するステップであって、前記較正パストポロジにおいて、間における信号品質が、事前に設定された信号品質しきい値以上である２つのＲＲＵの間における較正パスのホップの量が１であり、いずれか２つのＲＲＵの間における最も短い較正パスのホップの量が、事前に設定されたホップ量しきい値以下である、ステップと、
前記集中制御装置によって、前記較正パストポロジに基づいて前記Ｎ個のＲＲＵのそれぞれに時間／周波数リソースを割り当て、前記対応する時間／周波数リソースを示すために使用される構成情報を前記Ｎ個のＲＲＵのうちのそれぞれの制御装置へ送信するステップであって、前記ＲＲＵに対応する前記時間／周波数リソースは、前記ＲＲＵによって較正信号を送信および受信するために使用される、ステップと
を含む較正方法。
【請求項９】
前記集中制御装置によって、前記対応する時間／周波数リソースを示すために使用される構成情報を前記Ｎ個のＲＲＵのうちのそれぞれの制御装置へ送信する前記ステップの後に、
前記集中制御装置によって、前記Ｎ個のＲＲＵの前記制御装置によって送信されたＮ１個のパス情報を受信するステップであって、前記パス情報は、ホップの量が１である較正パスのパス情報であり、
【数１】
2021505085.tif 000008
であり、
【数２】
2021505085.tif 000009
は、前記Ｎ個のＲＲＵのいずれか２つの間における較正パスのホップの量が１である場合に入手される較正パスの総量を表し、Ｎ１は整数である、ステップと、
前記集中制御装置によって前記Ｎ１個のパス情報に基づいて、前記Ｎ個のＲＲＵのそれぞれに対応する較正係数を計算するステップと、
前記集中制御装置によって、前記対応する較正係数を前記ＲＲＵの前記制御装置へ送信するステップとをさらに含む請求項８に記載の方法。
【請求項１０】
前記集中制御装置によって、前記Ｎ個のＲＲＵの前記制御装置によって送信されたＮ１個のパス情報を受信する前記ステップは、
前記集中制御装置によって、前記ＲＲＵの前記制御装置からパス情報のｍ個のグループを受信するステップを含み、パス情報のそれぞれのグループは、ｎ個のパス情報を含み、ｍ＝１であり、またはｍ＝Ｍであり、Ｍは、前記ＲＲＵのチャネルの量であり、ｎは、ＲＲＵの量であり、それらのそれぞれと、前記ＲＲＵとの間においては、較正パスのホップの量は１であり、
前記ＲＲＵに対応するｍ個の較正係数がある請求項８に記載の方法。
【請求項１１】
前記集中制御装置によって、前記較正パストポロジに基づいて前記Ｎ個のＲＲＵのそれぞれに時間／周波数リソースを割り当てる前記ステップの前に、
前記集中制御装置によって、前記Ｎ個のＲＲＵを少なくとも２つの較正クラスタへとグループ化するステップをさらに含み、
前記集中制御装置によって前記ＲＲＵへ送信される前記リソース構成情報は、前記ＲＲＵが属する較正クラスタの較正クラスタ番号をさらに含む請求項８乃至１０のいずれか一項に記載の方法。
【請求項１２】
前記集中制御装置によって、前記Ｎ個のＲＲＵの間における前記信号品質を周期的に検知するステップと、
前記集中制御装置によって、前記Ｎ個のＲＲＵのいずれか２つの間における信号品質が、前記信号品質しきい値以上である状態から、前記信号品質しきい値未満である状態へ変化した場合には較正トポロジを再決定するステップと
をさらに含む請求項８乃至１１のいずれか一項に記載の方法。
【請求項１３】
集中制御装置によって、Ｎ個のＲＲＵの間における信号品質に基づいて較正パストポロジを決定する前記ステップの前に、
前記集中制御装置によって、Ｋ個のＲＲＵをｋ個のサブクラスタへとグループ化するステップであって、前記ｋ個のサブクラスタのうちのｈ個のサブクラスタのそれぞれは、１つの基準ＲＲＵを含み、前記ｋ個のサブクラスタは、少なくとも１つの基準サブクラスタを含み、前記Ｎ個のＲＲＵは、前記ｋ個のサブクラスタのうちの１つの中のすべてのＲＲＵである、ステップをさらに含む請求項８乃至１２のいずれか一項に記載の方法。
【請求項１４】
前記集中制御装置は、前記サブクラスタ内の少なくとも１つのＲＲＵによって送信されるクラスタ間較正パスのパス情報を受信し、
前記集中制御装置は、すべてのクラスタ間較正パスの受信されたパス情報に基づいて、前記サブクラスタ内の前記少なくとも１つのＲＲＵのそれぞれに対応するクラスタ間較正係数を計算し、
前記集中制御装置は、前記対応するクラスタ間較正係数を前記サブクラスタ内の前記少なくとも１つのＲＲＵのそれぞれへ送信する請求項１３に記載の方法。
【請求項１５】
リモートラジオユニットＲＲＵの制御装置であって、
集中制御装置によって送信されたリソース構成情報を受信するように構成されているトランシーバユニットであって、前記リソース構成情報によって示される時間／周波数リソースは、前記ＲＲＵとｎ個のその他のＲＲＵとの間において較正信号を送信および受信するために使用され、前記ｎ個のその他のＲＲＵは、前記集中制御装置によって決定された較正パストポロジ内のＲＲＵであり、前記ＲＲＵと、前記ｎ個のその他のＲＲＵのそれぞれとの間における較正パスのホップの量は１であり、前記較正パストポロジ内のいずれか２つのＲＲＵの間における最も短い較正パスのホップの量は、事前に設定されたホップ量しきい値以下であり、ｎは、１以上の自然数である、トランシーバユニットと、
前記受信ユニットによって受信された前記リソース構成情報に基づいて、前記時間／周波数リソース上で前記較正信号を送信および受信するように前記ＲＲＵを制御すること、
前記ＲＲＵによって送信および受信された前記較正信号に基づいてパス情報のｍ個のグループを入手することであって、ｍ＝１であり、またはｍ＝Ｍであり、Ｍは、前記ＲＲＵのチャネルの量であり、パス情報の前記ｍ個のグループのそれぞれは、前記ＲＲＵの１つのチャネルと、前記ｎ個のその他のＲＲＵとの間におけるｎ個の較正パスのパス情報を含む、入手すること、
パス情報の前記ｍ個のグループに基づいてｍ個の較正係数を入手すること、ならびに
前記ｍ個の較正係数を使用することによって前記ＲＲＵの前記Ｍ個のチャネルを補償すること
を行うように構成されている処理ユニットとを含むリモートラジオユニットＲＲＵの制御装置。
【請求項１６】
前記処理ユニットが、パス情報の前記ｍ個のグループに基づいて前記ｍ個の較正係数を入手することは、
パス情報の前記ｍ個のグループに基づいて前記ｍ個の較正係数を計算すること、または
パス情報の前記ｍ個のグループを前記集中制御装置へ送信し、それによって前記集中制御装置は、パス情報の前記ｍ個のグループに基づいて前記ｍ個の較正係数を計算することと、
前記集中制御装置によって送信された前記ｍ個の較正係数を受信することとを特に含む請求項１５に記載のＲＲＵの制御装置。
【請求項１７】
前記Ｍ個のチャネルが較正されていない場合には、ｍ＝Ｍであり、パス情報の前記ｍ個のグループは、前記Ｍ個のチャネルに１対１で対応し、前記ｍ個の較正係数は、前記Ｍ個のチャネルに１対１で対応する請求項１５または１６に記載のＲＲＵの制御装置。
【請求項１８】
前記処理ユニットが、前記リソース構成情報に基づいて、前記時間／周波数リソース上で較正信号を送信および受信するように前記ＲＲＵを制御することは、
前記リソース構成情報に基づいて、Ｍ個の異なるキャリアリソース上で前記ｎ個のその他のＲＲＵのそれぞれへ較正信号を同時に送信するように、および前記ｎ個のその他のＲＲＵによって送信された較正信号をｎ個の異なる周波数ドメインリソース上で同時に受信するように前記Ｍ個のチャネルを制御することを特に含む請求項１７に記載のＲＲＵの制御装置。
【請求項１９】
前記リソース構成情報は、前記ＲＲＵの較正クラスタ番号をさらに含み、前記処理ユニットが、前記リソース構成情報に基づいて、前記時間／周波数リソース上で較正信号を送信および受信するように前記ＲＲＵを制御することは、
前記較正クラスタ番号に基づいて、前記ＲＲＵによって送信されて前記較正クラスタ番号に対応する較正信号を制御することであって、前記ＲＲＵによって送信される前記較正信号、および前記ＲＲＵの前記較正クラスタ番号とは異なる較正クラスタ番号を有するＲＲＵによって送信される較正信号が符号分割直交している、制御することを特に含む請求項１５乃至１８のいずれか一項に記載のＲＲＵの制御装置。
【請求項２０】
前記ＲＲＵは、サブクラスタ内のＲＲＵであり、
前記処理ユニットは、クラスタ間較正係数を受信するようにさらに構成されており、前記クラスタ間較正係数は、基準サブクラスタ内の基準ＲＲＵに対する、前記ＲＲＵが属する前記サブクラスタ内の基準ＲＲＵの較正係数であり、前記ｍ個の較正係数は、前記ＲＲＵが属する前記サブクラスタ内の前記基準ＲＲＵに対する前記ＲＲＵの較正係数であり、
前記処理ユニットが、前記ｍ個の較正係数を使用することによって前記ＲＲＵの前記Ｍ個のチャネルを補償することは、
前記ｍ個の較正係数に前記クラスタ間較正係数を別々に乗じて、ｍ個の結合較正係数を入手することと、
前記ｍ個の結合較正係数を使用することによって前記ＲＲＵの前記Ｍ個のチャネルを補償することとを特に含む請求項１５乃至１９のいずれか一項に記載のＲＲＵの制御装置。
【請求項２１】
前記ＲＲＵは、サブクラスタ内のＲＲＵであり、
前記トランシーバユニットは、ｉ個のその他のサブクラスタのそれぞれの中のＲＲＵとの間で較正信号を送信および受信して、前記ＲＲＵと、前記ｉ個のその他のサブクラスタ内の前記ｉ個のＲＲＵとの間におけるｉ個のクラスタ間較正パスのパス情報を入手するように前記ＲＲＵを制御するようにさらに構成されており、ｉ≧１であり、
前記処理ユニットは、
前記ｉ個の較正パスの前記パス情報に基づいてクラスタ間較正係数を入手することと、
前記ＲＲＵが属する前記サブクラスタ内の別のＲＲＵの制御装置へ前記クラスタ間較正係数を送信することとを行うようにさらに構成されており、
前記処理ユニットが、前記ｍ個の較正係数を使用することによって前記ＲＲＵの前記Ｍ個のチャネルを補償することは、
前記ｍ個の較正係数に前記クラスタ間較正係数を別々に乗じて、ｍ個の結合較正係数を入手することを特に含む請求項１５乃至１９のいずれか一項に記載のＲＲＵの制御装置。
【請求項２２】
Ｎ個のリモートラジオユニットＲＲＵの間における信号品質に基づいて較正パストポロジを決定するように構成されている決定ユニットであって、前記較正パストポロジにおいて、間における信号品質が、事前に設定された信号品質しきい値以上である２つのＲＲＵの間における較正パスのホップの量が１であり、いずれか２つのＲＲＵの間における最も短い較正パスのホップの量が、事前に設定されたホップ量しきい値以下である、決定ユニットと、
前記決定ユニットによって決定された前記較正パストポロジに基づいて前記Ｎ個のＲＲＵのそれぞれに時間／周波数リソースを割り当て、前記対応する時間／周波数リソースを示すために使用される構成情報を前記Ｎ個のＲＲＵのうちのそれぞれの制御装置へ送信するように構成されている送信ユニットであって、前記ＲＲＵに対応する前記時間／周波数リソースは、前記ＲＲＵによって較正信号を送信および受信するために使用される、送信ユニットと
を含む集中制御装置。
【請求項２３】
前記集中制御装置は、受信ユニットおよび計算ユニットをさらに含み、前記集中制御装置が、前記対応する時間／周波数リソースを示すために使用される前記構成情報を前記ＲＲＵの前記制御装置へ送信した後に、
前記受信ユニットは、前記Ｎ個のＲＲＵの前記制御装置によって送信されたＮ１個のパス情報を受信するように構成されており、前記パス情報は、ホップの量が１である較正パスのパス情報であり、
【数３】
2021505085.tif 000010
であり、
【数４】
2021505085.tif 000011
は、前記Ｎ個のＲＲＵのいずれか２つの間における較正パスのホップの量が１である場合に入手される較正パスの総量を表し、Ｎ１は整数であり、
前記計算ユニットは、前記受信ユニットによって受信された前記Ｎ１個のパス情報に基づいて、前記ＲＲＵに対応する較正係数を計算するように構成されており、
前記送信ユニットは、前記対応する較正係数を前記ＲＲＵの前記制御装置へ送信するようにさらに構成されている請求項２２に記載の集中制御装置。
【請求項２４】
前記受信ユニットが、前記Ｎ個のＲＲＵの前記制御装置によって送信された前記Ｎ１個のパス情報を受信することは、
前記ＲＲＵの前記制御装置からパス情報のｍ個のグループを受信することを特に含み、パス情報のそれぞれのグループは、ｎ個のパス情報を含み、ｍ＝１であり、またはｍ＝Ｍであり、Ｍは、前記ＲＲＵのチャネルの量であり、ｎは、ＲＲＵの量であり、それらのそれぞれと、前記ＲＲＵとの間においては、較正パスのホップの量は１であり、
前記ＲＲＵに対応するｍ個の較正係数がある請求項２３に記載の集中制御装置。
【請求項２５】
前記決定ユニットは、前記送信ユニットが前記較正パストポロジに基づいて前記Ｎ個のＲＲＵのそれぞれに前記時間／周波数リソースを割り当てる前に、前記Ｎ個のＲＲＵを少なくとも２つの較正クラスタへとグループ化し、前記少なくとも２つの較正クラスタの較正クラスタ番号を決定するようにさらに構成されており、
前記送信ユニットによって前記ＲＲＵへ送信される前記リソース構成情報は、前記ＲＲＵが属する較正クラスタの較正クラスタ番号をさらに含む
請求項２２乃至２４のいずれか一項に記載の集中制御装置。
【請求項２６】
前記集中制御装置は、検知ユニットをさらに含み、
前記検知ユニットは、前記Ｎ個のＲＲＵの間における前記信号品質を周期的に検知するように構成されており、
前記決定ユニットは、前記Ｎ個のＲＲＵのいずれか２つの間における信号品質が、前記信号品質しきい値以上である状態から、前記信号品質しきい値未満である状態へ変化したということを前記検知ユニットが検知を通じて見つけ出した場合には較正パストポロジを再決定するようにさらに構成されている請求項２２乃至２５のいずれか一項に記載の集中制御装置。
【請求項２７】
前記決定ユニットは、前記Ｎ個のＲＲＵの間における前記信号品質に基づいて前記較正パストポロジを決定する前に、Ｋ個のＲＲＵをｋ個のサブクラスタへとグループ化するようにさらに構成されており、前記ｋ個のサブクラスタのうちのｈ個のサブクラスタのそれぞれは、１つの基準ＲＲＵを含み、前記ｋ個のサブクラスタは、少なくとも１つの基準サブクラスタを含み、前記Ｎ個のＲＲＵは、前記ｋ個のサブクラスタのうちの１つの中のすべてのＲＲＵである
請求項２３乃至２６のいずれか一項に記載の集中制御装置。
【請求項２８】
前記受信ユニットは、前記サブクラスタ内の少なくとも１つのＲＲＵによって送信されるクラスタ間較正パスのパス情報を受信するようにさらに構成されており、
前記計算ユニットは、前記受信ユニットによって受信されるすべてのクラスタ間較正パスのパス情報に基づいて、前記サブクラスタ内の前記少なくとも１つのＲＲＵのそれぞれに対応するクラスタ間較正係数を計算するようにさらに構成されており、
前記送信ユニットは、前記対応するクラスタ間較正係数を前記サブクラスタ内の前記少なくとも１つのＲＲＵのそれぞれへ送信するようにさらに構成されている請求項２７に記載の集中制御装置。
【請求項２９】
命令を含むコンピュータ可読ストレージメディアであって、前記命令は、コンピュータ上で実行されたときに、前記コンピュータが請求項１乃至７のいずれか一項に記載の方法を実行することを可能にし、または前記コンピュータが請求項８乃至１４のいずれか一項に記載の方法を実行することを可能にする、コンピュータ可読ストレージメディア。
【請求項３０】
コンピュータプログラム製品であって、前記コンピュータプログラム製品は、コンピュータ上で実行されたときに、前記コンピュータが請求項１乃至７のいずれか一項に記載の方法を実行することを可能にし、または前記コンピュータが請求項８乃至１４のいずれか一項に記載の方法を実行することを可能にする、コンピュータプログラム製品。
【発明の詳細な説明】
【技術分野】
【０００１】
本出願は、通信テクノロジーの分野に関連しており、詳細には、較正方法および装置に関連している。
【０００２】
本出願は、２０１７年１１月３０日に中国国家知的財産局に出願された「ＣＡＬＩＢＲＡＴＩＯＮ  ＭＥＴＨＯＤ  ＡＮＤ  ＡＰＰＡＲＡＴＵＳ」と題されている中国特許出願第２０１７１１２４３９２４．４号明細書に対する優先権を主張するものであり、また２０１８年８月２３日に中国特許庁に出願された「ＣＡＬＩＢＲＡＴＩＯＮ  ＭＥＴＨＯＤ  ＡＮＤ  ＡＰＰＡＲＡＴＵＳ」と題されている中国特許出願第２０１８１０９６６８６２．８号明細書に対する優先権を主張するものであり、それらは、それらの全体が参照によって本明細書に組み込まれている。
【背景技術】
【０００３】
サイト展開中に、すべてのユーザがカバーされることを確実にするためには、重なるカバレッジがセルエッジ上で生じる。重なるカバレッジエリア内のエッジユーザは、サービングセルからの望まれている信号、および別のセルからの干渉信号の両方を受信する。その結果として、受信される信号の品質が貧弱であり、オンライン経験が影響される。カバレッジを向上させ、スペクトル効率を改善し、ハンドオーバーパフォーマンスを改善するために、コヒーレントマルチポイント結合伝送（ｊｏｉｎｔ  ｔｒａｎｓｍｉｓｓｉｏｎ、ＪＴ）テクノロジーが通常は使用されて、コーディネーティングクラスタ内でリモートラジオユニット（ｒｅｍｏｔｅ  ｒａｄｉｏ  ｕｎｉｔ、ＲＲＵ）を使用することによって信号を端末へ送信し、それによって、別のセルからの干渉信号が、望まれている信号へと変換され、端末によって受信される信号の品質が改善される。コーディネーティングクラスタ内にある、およびＪＴを実施することが可能であるＲＲＵどうしの伝送／受信チャネル応答比率（受信チャネル応答に対する伝送チャネル応答の比率）が等しいことが必要とされる。実際のシステムにおいては、ＲＲＵどうしのチャネル応答は、通常は異なる。したがって、コーディネーティングクラスタ内の複数のＲＲＵが較正される必要がある。
【０００４】
従来の較正方法においては、１つのＲＲＵが、較正パストポロジを計画するための基準ＲＲＵとして使用され、較正パスの量は、ＲＲＵの総量マイナス１であることを必要とされる。たとえば、図１は、ＲＲＵ１からＲＲＵ９の較正パストポロジの図である。合計で８つの較正パスがある。互いに接続されている２つのＲＲＵの間における較正パスのホップの量は１である。たとえば、ＲＲＵ１は、ＲＲＵ２に直接接続されており、ＲＲＵ５は、ＲＲＵ９に直接接続されている。したがって、ＲＲＵ１とＲＲＵ２との間における較正パスのホップの量は１であり、ＲＲＵ５とＲＲＵ９との間における較正パスのホップの量は１である。ＲＲＵ３は、ＲＲＵ１およびＲＲＵ２を使用することによって、ＲＲＵ８に間接的に接続されている。したがって、ＲＲＵ３とＲＲＵ８との間における較正パスのホップの量は３である。ＲＲＵ４は、ＲＲＵ１、ＲＲＵ２、ＲＲＵ３、およびＲＲＵ５を使用することによって、ＲＲＵ６に間接的に接続されている。したがって、ＲＲＵ４とＲＲＵ６との間における較正パスのホップの量は５である。ＲＲＵ１は、基準ＲＲＵとして使用されている。ＲＲＵ２とＲＲＵ１との間において送信および受信される較正信号を使用することによって、ＲＲＵ２とＲＲＵ１との間におけるパス情報が入手される。そのパス情報に基づいて、ＲＲＵ１に対するＲＲＵ２の較正係数が計算され、それによって、ＲＲＵ２がその較正係数を使用することによってチャネルを補償した後には、ＲＲＵ２の伝送／受信チャネル応答比率は、ＲＲＵ１の伝送／受信チャネル応答比率と同じである。ＲＲＵ３とＲＲＵ２との間におけるパス情報と、ＲＲＵ２の較正係数とに基づいて、ＲＲＵ３の較正係数が計算され、それによって、ＲＲＵ３がその較正係数を使用することによってチャネルを補償した後には、ＲＲＵ３の伝送／受信チャネル応答比率は、ＲＲＵ１の伝送／受信チャネル応答比率と同じである。同様に、残りのＲＲＵは、較正パストポロジに基づいて類推によって推定される。
【０００５】
しかしながら、較正信号は、エアインターフェースを介して送信される。エアインターフェース環境のインパクトに起因して、それぞれの較正パスのパス情報に基づいて較正係数が計算される際に較正偏差がある。しかしながら、マルチホップ接続された較正パスに関する較正偏差は伝搬される。その結果として、大量のホップを伴う較正パスを有する２つのＲＲＵの間における較正偏差は累積する。２つのＲＲＵの間における較正パスのホップの量がより多いということは、２つのＲＲＵの間における較正偏差がより大きいということを示す。その結果として、較正精度が低下する。
【発明の概要】
【０００６】
本出願は、ＲＲＵどうしの間における較正偏差を低減して較正精度を改善するための較正方法および装置を提供する。
【０００７】
第１の態様によれば、本出願は、較正方法を提供する。この方法は、
ＲＲＵの制御装置によって、集中制御装置によって送信されたリソース構成情報を受信するステップであって、リソース構成情報によって示される時間／周波数リソースは、ＲＲＵとｎ個のその他のＲＲＵとの間において較正信号を送信および受信するために使用され、ｎ個のその他のＲＲＵは、集中制御装置によって決定された較正パストポロジ内のＲＲＵであり、ＲＲＵと、ｎ個のその他のＲＲＵのそれぞれとの間における較正パスのホップの量は１であり、較正パストポロジ内のいずれか２つのＲＲＵの間における最も短い較正パスのホップの量は、事前に設定されたホップ量しきい値以下であり、ｎは、１以上の自然数である、ステップと、ＲＲＵの制御装置によってリソース構成情報に基づいて、時間／周波数リソース上で較正信号を送信および受信するようにＲＲＵを制御するステップと、ＲＲＵの制御装置によって、ＲＲＵによって送信および受信された較正信号に基づいてパス情報のｍ個のグループを入手するステップであって、ｍ＝１であり、またはｍ＝Ｍであり、Ｍは、ＲＲＵのチャネルの量であり、パス情報のｍ個のグループのそれぞれは、ＲＲＵの１つのチャネルと、ｎ個のその他のＲＲＵとの間におけるｎ個の較正パスのパス情報を含む、ステップと、ＲＲＵの制御装置によって、パス情報のｍ個のグループに基づいてｍ個の較正係数を入手するステップと、ＲＲＵの制御装置によって、ｍ個の較正係数を使用することによってＲＲＵのＭ個のチャネルを補償するステップとを含む。
【０００８】
本出願において提供されるＲＲＵ較正方法においては、ＲＲＵの制御装置は、複数個のパス情報を使用することによってＲＲＵの較正係数を入手することが可能であり、それによって、マルチホップ較正パス上での較正偏差の伝搬によってもたらされる較正偏差の累積を回避する。加えて、使用される較正パストポロジ内のいずれか２つのＲＲＵの間における最も短い較正パスのホップの量は、事前に設定されたホップ量しきい値以下である。したがって、ＲＲＵどうしの間における較正偏差が低減され、較正精度が改善される。
【０００９】
任意選択で、ＲＲＵの制御装置によって、パス情報のｍ個のグループに基づいてｍ個の較正係数を入手するステップは、ＲＲＵの制御装置によって、パス情報のｍ個のグループに基づいてｍ個の較正係数を計算するステップ、またはＲＲＵの制御装置によって、パス情報のｍ個のグループを集中制御装置へ送信し、それによって集中制御装置は、パス情報のｍ個のグループに基づいてｍ個の較正係数を計算するステップと、ＲＲＵの制御装置によって、集中制御装置によって送信されたｍ個の較正係数を受信するステップとを含む。
【００１０】
任意選択で、Ｍ個のチャネルが較正されていない場合には、ｍ＝Ｍであり、パス情報のｍ個のグループは、Ｍ個のチャネルに１対１で対応し、ｍ個の較正係数は、Ｍ個のチャネルに１対１で対応する。
【００１１】
任意選択の実装においては、ＲＲＵのＭ個のチャネルが較正されていない場合には、ＲＲＵのそれらのチャネルは、本出願において提供される方法を使用することによって較正されることが可能である。加えて、それぞれのチャネルの較正係数が、複数個のパス情報に基づいて計算される。したがって、マルチホップ較正パス上での較正偏差の伝搬によってもたらされる較正偏差の累積が回避され、ＲＲＵどうしの間における較正偏差が低減され、較正精度が改善される。
【００１２】
任意選択で、ＲＲＵの制御装置によってリソース構成情報に基づいて、時間／周波数リソース上で較正信号を送信および受信するようにＲＲＵを制御するステップは、ＲＲＵの制御装置によってリソース構成情報に基づいて、Ｍ個の異なるキャリアリソース上でｎ個のその他のＲＲＵのそれぞれへ較正信号を同時に送信するように、およびｎ個のその他のＲＲＵによって送信された較正信号をｎ個の異なる周波数ドメインリソース上で同時に受信するようにＭ個のチャネルを制御するステップを含む。
【００１３】
任意選択で、リソース構成情報は、ＲＲＵの較正クラスタ番号をさらに含み、ＲＲＵの制御装置によってリソース構成情報に基づいて、時間／周波数リソース上で較正信号を送信および受信するようにＲＲＵを制御するステップは、ＲＲＵの制御装置によって較正クラスタ番号に基づいて、ＲＲＵによって送信されて較正クラスタ番号に対応する較正信号を制御するステップであって、ＲＲＵによって送信される較正信号、およびＲＲＵの較正クラスタ番号とは異なる較正クラスタ番号を有するＲＲＵによって送信される較正信号が符号分割直交している、ステップを含む。
【００１４】
符号分割機能を有する較正信号を使用することによってＧＰエリア内のリソース利用が改善されることが可能であり、それによって、さらに多くの較正信号がＮ個のＲＲＵの間において送信されることが可能であり、較正パスのさらに多くのパス情報が入手されて、較正仕様を改善することが可能である。
【００１５】
任意選択で、ＲＲＵは、サブクラスタ内のＲＲＵであり、この方法は、ＲＲＵの制御装置によって、クラスタ間較正係数を受信するステップであって、クラスタ間較正係数は、基準サブクラスタ内の基準ＲＲＵに対する、ＲＲＵが属するサブクラスタ内の基準ＲＲＵの較正係数であり、ｍ個の較正係数は、ＲＲＵが属するサブクラスタ内の基準ＲＲＵに対するＲＲＵの較正係数である、ステップをさらに含み、ＲＲＵの制御装置によって、ｍ個の較正係数を使用することによってＲＲＵのＭ個のチャネルを補償するステップは、ＲＲＵの制御装置によって、ｍ個の較正係数にクラスタ間較正係数を別々に乗じて、ｍ個の結合較正係数を入手するステップと、ＲＲＵの制御装置によって、ｍ個の結合較正係数を使用することによってＲＲＵのＭ個のチャネルを補償するステップとを含む。
【００１６】
任意選択で、ＲＲＵは、サブクラスタ内のＲＲＵであり、この方法は、ＲＲＵの制御装置によって、ｉ個のその他のサブクラスタのそれぞれの中のＲＲＵとの間で較正信号を送信および受信して、ＲＲＵと、ｉ個のその他のサブクラスタ内のｉ個のＲＲＵとの間におけるｉ個のクラスタ間較正パスのパス情報を入手するようにＲＲＵを制御するステップであって、ｉ≧１である、ステップと、ＲＲＵの制御装置によって、ｉ個の較正パスのパス情報に基づいてクラスタ間較正係数を入手するステップと、ＲＲＵの制御装置によって、ＲＲＵが属するサブクラスタ内の別のＲＲＵの制御装置へクラスタ間較正係数を送信するステップとをさらに含み、ＲＲＵの制御装置によって、ｍ個の較正係数を使用することによってＲＲＵのＭ個のチャネルを補償するステップは、ＲＲＵの制御装置によって、ｍ個の較正係数にクラスタ間較正係数を別々に乗じて、ｍ個の結合較正係数を入手するステップを含む。
【００１７】
第２の態様によれば、本出願は、リモートラジオユニット較正方法を提供する。この方法は、集中制御装置によって、Ｎ個のＲＲＵの間における信号品質に基づいて較正パストポロジを決定するステップであって、較正パストポロジにおいて、間における信号品質が、事前に設定された信号品質しきい値以上である２つのＲＲＵの間における較正パスのホップの量が１であり、いずれか２つのＲＲＵの間における最も短い較正パスのホップの量が、事前に設定されたホップ量しきい値以下である、ステップと、集中制御装置によって、較正パストポロジに基づいてＮ個のＲＲＵのそれぞれに時間／周波数リソースを割り当て、対応する時間／周波数リソースを示すために使用される構成情報をＮ個のＲＲＵのうちのそれぞれの制御装置へ送信するステップであって、ＲＲＵに対応する時間／周波数リソースは、ＲＲＵによって較正信号を送信および受信するために使用される、ステップとを含む。
【００１８】
本出願において提供される較正方法によれば、集中制御装置によって決定される較正パストポロジにおいて、間における信号品質が、事前に設定された信号品質しきい値以上である２つのＲＲＵの間における較正パスのホップの量は１であり、いずれか２つのＲＲＵの間における最も短い較正パスのホップの量は、事前に設定されたホップ量しきい値以下である。したがって、ＲＲＵの制御装置は、複数個のパス情報を使用することによってＲＲＵの較正係数を入手することが可能であり、それによって、マルチホップ較正パス上での較正偏差の伝搬によってもたらされる較正偏差の累積が回避され、ＲＲＵどうしの間における較正偏差が低減され、較正精度が改善される。
【００１９】
任意選択で、集中制御装置によって、対応する時間／周波数リソースを示すために使用される構成情報をＮ個のＲＲＵのうちのそれぞれの制御装置へ送信するステップの後に、この方法は、集中制御装置によって、Ｎ個のＲＲＵの制御装置によって送信されたＮ１個のパス情報を受信するステップであって、パス情報は、ホップの量が１である較正パスのパス情報であり、
【００２０】
【数１】
2021505085.tif 000003
【００２１】
であり、
【００２２】
【数２】
2021505085.tif 000004
【００２３】
は、Ｎ個のＲＲＵのいずれか２つの間における較正パスのホップの量が１である場合に入手される較正パスの総量を表し、Ｎ１は整数である、ステップと、集中制御装置によってＮ１個のパス情報に基づいて、Ｎ個のＲＲＵのそれぞれに対応する較正係数を計算するステップと、集中制御装置によって、対応する較正係数をＲＲＵの制御装置へ送信するステップとをさらに含む。
【００２４】
任意選択の実施態様においては、ＲＲＵのそれぞれの較正係数は、Ｎ１個のパス情報に基づいて計算される。したがって、較正偏差の伝搬がなくされて、ＲＲＵどうしの間における較正偏差が低減され、較正精度が改善される。
【００２５】
任意選択で、集中制御装置によって、Ｎ個のＲＲＵの制御装置によって送信されたＮ１個のパス情報を受信するステップは、集中制御装置によって、ＲＲＵの制御装置からパス情報のｍ個のグループを受信するステップを含み、パス情報のそれぞれのグループは、ｎ個のパス情報を含み、ｍ＝１であり、またはｍ＝Ｍであり、Ｍは、ＲＲＵのチャネルの量であり、ｎは、ＲＲＵの量であり、それらのそれぞれと、ＲＲＵとの間においては、較正パスのホップの量は１であり、ＲＲＵに対応するｍ個の較正係数がある。
【００２６】
任意選択の実施態様においては、ＲＲＵのＭ個のチャネルが較正されていない場合には、ｍ＝１であり、それによって、ＲＲＵのそれらのチャネルは較正されることが可能である。加えて、それぞれのチャネルの較正係数が、複数個のパス情報に基づいて計算される。したがって、マルチホップ較正パス上での較正偏差の伝搬によってもたらされる較正偏差の累積が回避され、ＲＲＵどうしの間における較正偏差が低減され、較正精度が改善される。
【００２７】
任意選択で、集中制御装置によって、較正パストポロジに基づいてＮ個のＲＲＵのそれぞれに時間／周波数リソースを割り当てるステップの前に、この方法は、集中制御装置によって、Ｎ個のＲＲＵを少なくとも２つの較正クラスタへとグループ化するステップをさらに含み、集中制御装置によってＲＲＵへ送信されるリソース構成情報は、ＲＲＵが属する較正クラスタの較正クラスタ番号をさらに含む。
【００２８】
符号分割機能を有する較正信号を使用することによってＧＰエリア内のリソース利用が改善されることが可能であり、それによって、さらに多くの較正信号がＮ個のＲＲＵの間において送信されることが可能であり、較正パスのさらに多くのパス情報が入手されて、較正仕様を改善することが可能である。
【００２９】
任意選択で、この方法は、集中制御装置によって、Ｎ個のＲＲＵの間における信号品質を周期的に検知するステップと、集中制御装置によって、Ｎ個のＲＲＵのいずれか２つの間における信号品質が、信号品質しきい値以上である状態から、信号品質しきい値未満である状態へ変化した場合には較正トポロジを再決定するステップとをさらに含む。
【００３０】
Ｎ個のＲＲＵの間における信号品質が周期的に検知されて、信号品質が信号品質しきい値を満たしていない較正パスを見つけ出し、較正パストポロジを再計画し、それによって、環境インパクトに起因する切断によってもたらされる較正パスの較正失敗が回避され、較正失敗は、ＪＴパフォーマンスに影響を与える。
【００３１】
任意選択で、集中制御装置によって、Ｎ個のＲＲＵの間における信号品質に基づいて較正パストポロジを決定するステップの前に、この方法は、集中制御装置によって、Ｋ個のＲＲＵをｋ個のサブクラスタへとグループ化するステップであって、ｋ個のサブクラスタのうちのｈ個のサブクラスタのそれぞれは、１つの基準ＲＲＵを含み、ｋ個のサブクラスタは、少なくとも１つの基準サブクラスタを含み、Ｎ個のＲＲＵは、ｋ個のサブクラスタのうちの１つの中のすべてのＲＲＵである、ステップをさらに含む。
【００３２】
任意選択で、集中制御装置は、サブクラスタ内の少なくとも１つのＲＲＵによって送信されるクラスタ間較正パスのパス情報を受信し、集中制御装置は、すべてのクラスタ間較正パスの受信されたパス情報に基づいて、サブクラスタ内の少なくとも１つのＲＲＵのそれぞれに対応するクラスタ間較正係数を計算し、集中制御装置は、対応するクラスタ間較正係数をサブクラスタ内の少なくとも１つのＲＲＵのそれぞれへ送信する。
【００３３】
第３の態様によれば、ＲＲＵの制御装置が、
集中制御装置によって送信されたリソース構成情報を受信するように構成されているトランシーバユニットであって、リソース構成情報によって示される時間／周波数リソースは、ＲＲＵとｎ個のその他のＲＲＵとの間において較正信号を送信および受信するために使用され、ｎ個のその他のＲＲＵは、集中制御装置によって決定された較正パストポロジ内のＲＲＵであり、ＲＲＵと、ｎ個のその他のＲＲＵのそれぞれとの間における較正パスのホップの量は１であり、較正パストポロジ内のいずれか２つのＲＲＵの間における最も短い較正パスのホップの量は、事前に設定されたホップ量しきい値以下であり、ｎは、１以上の自然数である、トランシーバユニットと、受信ユニットによって受信されたリソース構成情報に基づいて、時間／周波数リソース上で較正信号を送信および受信するようにＲＲＵを制御すること、ＲＲＵによって送信および受信された較正信号に基づいてパス情報のｍ個のグループを入手することであって、ｍ＝１であり、またはｍ＝Ｍであり、Ｍは、ＲＲＵのチャネルの量であり、パス情報のｍ個のグループのそれぞれは、ＲＲＵの１つのチャネルと、ｎ個のその他のＲＲＵとの間におけるｎ個の較正パスのパス情報を含む、入手すること、パス情報のｍ個のグループに基づいてｍ個の較正係数を入手すること、ならびにｍ個の較正係数を使用することによってＲＲＵのＭ個のチャネルを補償することを行うように構成されている処理ユニットとを含む。
【００３４】
任意選択で、処理ユニットが、パス情報のｍ個のグループに基づいてｍ個の較正係数を入手することは、パス情報のｍ個のグループに基づいてｍ個の較正係数を計算すること、またはパス情報のｍ個のグループを集中制御装置へ送信し、それによって集中制御装置は、パス情報のｍ個のグループに基づいてｍ個の較正係数を計算することと、集中制御装置によって送信されたｍ個の較正係数を受信することとを特に含む。
【００３５】
任意選択で、Ｍ個のチャネルが較正されていない場合には、ｍ＝Ｍであり、パス情報のｍ個のグループは、Ｍ個のチャネルに１対１で対応し、ｍ個の較正係数は、Ｍ個のチャネルに１対１で対応する。
【００３６】
任意選択で、処理ユニットが、リソース構成情報に基づいて、時間／周波数リソース上で較正信号を送信および受信するようにＲＲＵを制御することは、リソース構成情報に基づいて、Ｍ個の異なるキャリアリソース上でｎ個のその他のＲＲＵのそれぞれへ較正信号を同時に送信するように、およびｎ個のその他のＲＲＵによって送信された較正信号をｎ個の異なる周波数ドメインリソース上で同時に受信するようにＭ個のチャネルを制御することを特に含む。
【００３７】
任意選択で、リソース構成情報は、ＲＲＵの較正クラスタ番号をさらに含み、処理ユニットが、リソース構成情報に基づいて、時間／周波数リソース上で較正信号を送信および受信するようにＲＲＵを制御することは、較正クラスタ番号に基づいて、ＲＲＵによって送信されて較正クラスタ番号に対応する較正信号を制御することであって、ＲＲＵによって送信される較正信号、およびＲＲＵの較正クラスタ番号とは異なる較正クラスタ番号を有するＲＲＵによって送信される較正信号が符号分割直交している、制御することを特に含む。
【００３８】
任意選択で、ＲＲＵは、サブクラスタ内のＲＲＵであり、処理ユニットは、クラスタ間較正係数を受信するようにさらに構成されており、クラスタ間較正係数は、基準サブクラスタ内の基準ＲＲＵに対する、ＲＲＵが属するサブクラスタ内の基準ＲＲＵの較正係数であり、ｍ個の較正係数は、ＲＲＵが属するサブクラスタ内の基準ＲＲＵに対するＲＲＵの較正係数であり、処理ユニットが、ｍ個の較正係数を使用することによってＲＲＵのＭ個のチャネルを補償することは、ｍ個の較正係数にクラスタ間較正係数を別々に乗じて、ｍ個の結合較正係数を入手することと、ｍ個の結合較正係数を使用することによってＲＲＵのＭ個のチャネルを補償することとを特に含む。
【００３９】
任意選択で、ＲＲＵは、サブクラスタ内のＲＲＵであり、トランシーバユニットは、ｉ個のその他のサブクラスタのそれぞれの中のＲＲＵとの間で較正信号を送信および受信して、ＲＲＵと、ｉ個のその他のサブクラスタ内のｉ個のＲＲＵとの間におけるｉ個のクラスタ間較正パスのパス情報を入手するようにＲＲＵを制御するようにさらに構成されており、ｉ≧１であり、処理ユニットは、ｉ個の較正パスのパス情報に基づいてクラスタ間較正係数を入手することと、ＲＲＵが属するサブクラスタ内の別のＲＲＵの制御装置へクラスタ間較正係数を送信することとを行うようにさらに構成されており、処理ユニットが、ｍ個の較正係数を使用することによってＲＲＵのＭ個のチャネルを補償することは、ｍ個の較正係数にクラスタ間較正係数を別々に乗じて、ｍ個の結合較正係数を入手することを特に含む。
【００４０】
本出願において提供されるＲＲＵの制御装置の技術的な効果に関しては、第１の態様または第１の態様の実装の技術的な効果を参照されたい。詳細が本明細書で再び記述されることはない。
【００４１】
第４の態様によれば、本出願は、
Ｎ個のＲＲＵの間における信号品質に基づいて較正パストポロジを決定するように構成されている決定ユニットであって、較正パストポロジにおいて、間における信号品質が、事前に設定された信号品質しきい値以上である２つのＲＲＵの間における較正パスのホップの量が１であり、いずれか２つのＲＲＵの間における最も短い較正パスのホップの量が、事前に設定されたホップ量しきい値以下である、決定ユニットと、決定ユニットによって決定された較正パストポロジに基づいてＮ個のＲＲＵのそれぞれに時間／周波数リソースを割り当て、対応する時間／周波数リソースを示すために使用される構成情報をＮ個のＲＲＵのうちのそれぞれの制御装置へ送信するように構成されている送信ユニットであって、ＲＲＵに対応する時間／周波数リソースは、ＲＲＵによって較正信号を送信および受信するために使用される、送信ユニットとを含む集中制御装置を提供する。
【００４２】
任意選択で、集中制御装置は、受信ユニットおよび計算ユニットをさらに含み、集中制御装置が、対応する時間／周波数リソースを示すために使用される構成情報をＲＲＵの制御装置へ送信した後に、受信ユニットは、Ｎ個のＲＲＵの制御装置によって送信されたＮ１個のパス情報を受信するように構成されており、パス情報は、ホップの量が１である較正パスのパス情報であり、
【００４３】
【数３】
2021505085.tif 000005
【００４４】
であり、Ｎ１は整数であり、計算ユニットは、受信ユニットによって受信されたＮ１個のパス情報に基づいて、ＲＲＵに対応する較正係数を計算するように構成されており、送信ユニットは、対応する較正係数をＲＲＵの制御装置へ送信するようにさらに構成されている。
【００４５】
任意選択で、受信ユニットが、Ｎ個のＲＲＵの制御装置によって送信されたＮ１個のパス情報を受信することは、ＲＲＵの制御装置からパス情報のｍ個のグループを受信することを特に含み、パス情報のそれぞれのグループは、ｎ個のパス情報を含み、ｍ＝１であり、またはｍ＝Ｍであり、Ｍは、ＲＲＵのチャネルの量であり、ｎは、ＲＲＵの量であり、それらのそれぞれと、ＲＲＵとの間においては、較正パスのホップの量は１であり、ＲＲＵに対応するｍ個の較正係数がある。
【００４６】
任意選択で、決定ユニットは、送信ユニットが較正パストポロジに基づいてＮ個のＲＲＵのそれぞれに時間／周波数リソースを割り当てる前に、Ｎ個のＲＲＵを少なくとも２つの較正クラスタへとグループ化するようにさらに構成されており、送信ユニットによってＲＲＵへ送信されるリソース構成情報は、ＲＲＵが属する較正クラスタの較正クラスタ番号をさらに含む。
【００４７】
任意選択で、集中制御装置は、検知ユニットをさらに含み、検知ユニットは、Ｎ個のＲＲＵの間における信号品質を周期的に検知するように構成されており、決定ユニットは、Ｎ個のＲＲＵのいずれか２つの間における信号品質が、信号品質しきい値以上である状態から、信号品質しきい値未満である状態へ変化したということを検知ユニットが検知を通じて見つけ出した場合には較正パストポロジを再決定するようにさらに構成されている。
【００４８】
任意選択で、決定ユニットは、Ｎ個のＲＲＵの間における信号品質に基づいて較正パストポロジを決定する前に、Ｋ個のＲＲＵをｋ個のサブクラスタへとグループ化するようにさらに構成されており、ｋ個のサブクラスタのうちのｈ個のサブクラスタのそれぞれは、１つの基準ＲＲＵを含み、ｋ個のサブクラスタは、少なくとも１つの基準サブクラスタを含み、Ｎ個のＲＲＵは、ｋ個のサブクラスタのうちの１つの中のすべてのＲＲＵである。
【００４９】
大量のＲＲＵが複数のサブクラスタへとグループ化され、それぞれのサブクラスタ内のＲＲＵ上で同期的にクラスタ内較正が実行されて、較正を加速する。
【００５０】
任意選択で、受信ユニットは、サブクラスタ内の少なくとも１つのＲＲＵによって送信されるクラスタ間較正パスのパス情報を受信するようにさらに構成されており、計算ユニットは、受信ユニットによって受信されるすべてのクラスタ間較正パスのパス情報に基づいて、サブクラスタ内の少なくとも１つのＲＲＵのそれぞれに対応するクラスタ間較正係数を計算するようにさらに構成されており、送信ユニットは、対応するクラスタ間較正係数をサブクラスタ内の少なくとも１つのＲＲＵのそれぞれへ送信するようにさらに構成されている。
【００５１】
本出願において提供される集中制御装置の技術的な効果に関しては、第２の態様または第２の態様の実装の技術的な効果を参照されたい。詳細が本明細書で再び記述されることはない。
【００５２】
第５の態様によれば、本出願は、ＲＲＵの制御装置をさらに提供する。ＲＲＵの制御装置は、プロセッサ、メモリ、バス、およびトランシーバを含む。メモリは、コンピュータ実行可能命令を格納するように構成されている。プロセッサは、バスを使用することによってメモリおよびトランシーバに接続されている。ＲＲＵの制御装置が稼働するときに、プロセッサは、メモリに格納されているコンピュータ実行可能命令を実行して、第１の態様および第１の態様の実装における較正方法を実施する。
【００５３】
本出願において提供されるＲＲＵの制御装置の技術的な効果に関しては、第１の態様または第１の態様の実装の技術的な効果を参照されたい。詳細が本明細書で再び記述されることはない。
【００５４】
第６の態様によれば、本出願は、プロセッサと、メモリと、バスと、トランシーバとを含む集中制御装置をさらに提供する。メモリは、コンピュータ実行可能命令を格納するように構成されている。プロセッサは、バスを使用することによってメモリおよびトランシーバに接続されている。集中制御装置が稼働するときに、プロセッサは、メモリに格納されているコンピュータ実行可能命令を実行して、第２の態様および第２の態様の実装における較正方法を実施する。
【００５５】
本出願において提供される集中制御装置の技術的な効果に関しては、第２の態様または第２の態様の実装の技術的な効果を参照されたい。詳細が本明細書で再び記述されることはない。
【００５６】
第７の態様によれば、本出願は、コンピュータストレージメディアをさらに提供する。このコンピュータストレージメディアは、命令を格納している。コンピュータ上で実行されたときに、その命令は、コンピュータが第１の態様または第２の態様における方法を実行することを可能にする。
【００５７】
第８の態様によれば、本出願は、命令を含むコンピュータプログラム製品をさらに提供する。コンピュータ上で実行されたときに、このコンピュータプログラム製品は、コンピュータが第１の態様または第８の態様における方法を実行することを可能にする。
【００５８】
第９の態様によれば、本出願は、第１の態様および／または第２の態様におけるステップを実行するように構成されているユニットまたは手段を含む通信装置を提供する。任意選択で、通信装置はチップであり得る。
【図面の簡単な説明】
【００５９】
【図１】従来技術における較正パストポロジの概略図である。
【図２Ａ】本出願による分散基地局システムの概略図である。
【図２Ｂ】本出願による通信システムの概略図である。
【図３】本出願による較正方法の実施形態の方法フローチャート１である。
【図４】本出願による較正パストポロジの概略図１である。
【図５Ａ】本出願による較正方法の実施形態の方法フローチャート２である。
【図５Ｂ】本出願による較正方法の実施形態の方法フローチャート２である。
【図６】本出願による較正パストポロジの概略図２である。
【図７Ａ】本出願による較正方法の実施形態の方法フローチャート３である。
【図７Ｂ】本出願による較正方法の実施形態の方法フローチャート３である。
【図８】本出願によるＧＰエリアリソース利用の概略比較図である。
【図９Ａ】本出願によるＲＲＵの制御装置の概略構造図１である。
【図９Ｂ】本出願によるＲＲＵの制御装置の概略構造図２である。
【図９Ｃ】本出願によるＲＲＵの制御装置の概略構造図３である。
【図１０Ａ】本出願による集中制御装置の概略構造図１である。
【図１０Ｂ】本出願による集中制御装置の概略構造図２である。
【図１０Ｃ】本出願による集中制御装置の概略構造図３である。
【図１１】本出願によるグループ化を通じて入手されるサブクラスタの概略図である。
【図１２Ａ】本出願による、サブクラスタ間での時間／周波数リソースの分散の概略図である。
【図１２Ｂ】本出願による、サブクラスタ間での時間／周波数リソースの分散の概略図である。
【発明を実施するための形態】
【００６０】
本出願において提供される較正方法は、ＬＴＥシステム、ロングタームエボリューションアドバンスト（ＬＴＥ  ａｄｖａｎｃｅｄ、ＬＴＥ−Ａ）システム、または、さまざまな無線アクセステクノロジーを使用するその他のワイヤレス通信システム、たとえば、符号分割多元接続、周波数分割多元接続、時分割多元接続、直交周波数分割多元接続、またはＣＡなどのアクセステクノロジーを使用するシステムに適用可能であり得る。加えて、この較正方法は、第５世代５Ｇシステムなどのその後の進化したシステムにさらに適用され得る。本出願は、ＪＴ要件を有するシナリオ、たとえば、分散型多入力多出力（ｄｉｓｔｒｉｂｕｔｅｄ  ｍｕｌｔｉ  ｉｎｐｕｔ  ａｎｄ  ｍｕｌｔｉｐｌｅ  ｏｕｔｐｕｔ、ＤＭＩＭＯ）およびユーザ中心のボーダレスネットワークに適用される。
【００６１】
任意選択で、本出願において提供される較正方法は、分散基地局に適用され得る。図２Ａにおいて示されているように、分散基地局は、ＲＲＵ、ビルディングベースバンドユニット（ｂｕｉｌｄｉｎｇ  ｂａｓｅｂａｎｄ  ｕｎｉｔ、ＢＢＵ）、結合回路、およびアンテナを含む。
【００６２】
ＲＲＵは、デジタル中間周波数モジュール、トランシーバモジュール、パワー増幅モジュール、およびフィルタリングモジュールを含む。デジタル中間周波数モジュールは、光伝送、デジタルアップおよびダウン周波数変換、アナログ／デジタル（ａｎａｌｏｇ−ｔｏ−ｄｉｇｉｔａｌ、ＡＤ）コンバータなどにおける変調および復調のために使用される。トランシーバモジュールは、中間周波数信号を無線周波数信号へと変換し、無線周波数信号がパワー増幅モジュールおよびフィルタリングモジュールによって処理された後にアンテナポートを使用することによって無線周波数信号を伝送する。ＢＢＵは、チャネルコーディングおよびデコーディング、ベースバンド信号の変調および復調、ならびにプロトコル処理などの機能を完遂し、ＢＢＵと上位レイヤネットワーク要素との間におけるインターフェースを提供し、物理レイヤコアテクノロジーの処理プロセス、たとえば、３Ｇにおける符号分割多元接続（ｃｏｄｅ  ｄｉｖｉｓｉｏｎ  ｍｕｌｔｉｐｌｅ  ａｃｃｅｓｓ、ＣＤＭＡ）処理、およびＬＴＥにおける直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）／多入力多出力（ｍｕｌｔｉ  ｉｎｐｕｔ  ａｎｄ  ｍｕｌｔｉｐｌｅ  ｏｕｔｐｕｔ、ＭＩＭＯ）処理を完遂するように構成されている。ＢＢＵ、ＲＲＵ、およびアンテナは、チャネルを使用することによって接続されている。結合回路は、チャネルを補償するように構成されている。１つのＢＢＵは、少なくとも１つのＲＲＵを制御し得、ＢＢＵどうしは、有線様式で直接接続されている。
【００６３】
図２Ｂは、本出願による通信システムを示している。この通信システムは、集中制御装置と、ＲＲＵの制御装置と、ＲＲＵとを含む。
【００６４】
ＲＲＵの制御装置は、較正信号を送信および受信するようにＲＲＵを制御すること、較正パスのパス情報を収集すること、制御されるＲＲＵの較正係数を計算すること、ＲＲＵの伝送チャネルおよび受信チャネルを補償することなどを行うように構成されている。
【００６５】
本出願においては、ＲＲＵの制御装置は、ＲＲＵに接続されているＢＢＵであり得、またはＲＲＵ内に統合されている制御モジュールであり得、またはＲＲＵから独立して配置されていて前述の機能を実施することが可能であるサーバデバイスであり得る。
【００６６】
集中制御装置は、較正トポロジパスを計画すること、較正クラスタを計画すること、較正信号を伝送するために使用される時間／周波数リソースを割り当てること、較正係数を計算することなどを行うように構成されている。
【００６７】
集中制御装置は、前述の機能を実施することが可能であるサーバデバイスもしくは通信デバイスであり得、またはＲＲＵの制御装置であり得、言い換えれば、ＲＲＵの制御装置は、集中制御装置として使用される。このケースにおいては、ＲＲＵの制御装置は、集中制御装置の機能を有する。
【００６８】
図２に基づいて、図３は、本出願による較正方法の実施形態の方法フローチャートである。この方法は、下記のステップを含む。
【００６９】
ステップ３０１．  集中制御装置が、Ｎ個のＲＲＵの間における信号品質に基づいて較正パストポロジを決定し、その較正パストポロジにおいて、間における信号品質が、事前に設定された信号品質しきい値以上である２つのＲＲＵの間における較正パスのホップの量は１であり、いずれか２つのＲＲＵの間における最も短い較正パスのホップの量は、事前に設定されたホップ量しきい値以下である。
【００７０】
たとえば、較正パストポロジを決定する際に、集中制御装置は、間における信号品質が信号品質しきい値以上である、Ｎ個のＲＲＵ内にあるいずれか２つのＲＲＵの間において直接接続関係を最初に確立し得、それによって、間における信号品質が信号品質しきい値以上であるいずれか２つのＲＲＵの間における較正パスのホップの量は１である。言い換えれば、それぞれのＲＲＵは、すべてのＲＲＵとの間で直接接続関係を確立することが可能であり、すべてのＲＲＵはそれぞれ、そのＲＲＵとの間で信号品質しきい値以上の信号品質を有し、それによって、Ｎ個のＲＲＵのいずれか２つの間における最も短い較正パスのホップの量は、ホップ量しきい値以下である。
【００７１】
たとえば、ＲＲＵ１からＲＲＵ９において、集中制御装置は、ＲＲＵ１と、ＲＲＵ２、ＲＲＵ５、ＲＲＵ７、およびＲＲＵ８のそれぞれとの間における信号品質が信号品質しきい値以上であり、ＲＲＵ２と、ＲＲＵ８、ＲＲＵ６、およびＲＲＵ３のそれぞれとの間における信号品質が信号品質しきい値以上であり、ＲＲＵ３と、ＲＲＵ５およびＲＲＵ４の両方との間における信号品質が信号品質しきい値以上であり、ＲＲＵ４とＲＲＵ６との間における信号品質が信号品質しきい値以上であり、ＲＲＵ５と、ＲＲＵ６およびＲＲＵ９の両方との間における信号品質が信号品質しきい値以上であり、ＲＲＵ６とＲＲＵ９との間における信号品質が信号品質しきい値以上であり、ＲＲＵ７とＲＲＵ９との間における信号品質がさらに信号しきい値以上であるということを、検知を通じて見つけ出す。
【００７２】
集中制御装置は、間における信号品質が信号品質しきい値以上である、前述のＲＲＵ内にある２つのＲＲＵの間において直接接続関係を確立し、それによって、それらの２つのＲＲＵの間において接続されている較正パスのホップの量は１であって、図４において示されている較正パストポロジを入手する。
【００７３】
ホップ量しきい値は３であると想定され、集中制御装置は、図４において示されている較正パストポロジにおいて、いずれか２つのＲＲＵの間における最も短い較正パスのホップの量が４未満であると決定する。したがって、図４において示されている較正パストポロジが、この較正プロセスにおいて使用される較正パストポロジとして決定される。
【００７４】
図１において示されている較正パストポロジと比較して、従来技術においては、ＲＲＵ６とＲＲＵ４との間における較正パスのホップの量は５であり、その一方で本出願においては、ＲＲＵ６とＲＲＵ４との間における最も短い較正パスのホップの量は１であるということが知られることが可能である。すなわち、ＲＲＵ６およびＲＲＵ４は、直接接続関係を有し得る。したがって、ＲＲＵどうしの間における最も短い較正パスのホップの量は、本出願において提供される較正パストポロジを使用することによって低減されることが可能である。
【００７５】
ステップ３０２．  集中制御装置は、較正パストポロジに基づいてＮ個のＲＲＵのそれぞれに時間／周波数リソースを割り当て、対応する時間／周波数リソースを示すために使用されるリソース構成情報をＮ個のＲＲＵのうちのそれぞれの制御装置へ送信し、ＲＲＵに対応する時間／周波数リソースは、ＲＲＵによって較正信号を送信および受信するために使用される。
【００７６】
対応するリソース構成情報を別々に受信した後に、すべてのＮ個のＲＲＵは、下記のステップ３０３から３０５を実行する。
【００７７】
ステップ３０３．  ＲＲＵの制御装置は、受信されたリソース構成情報に基づいて、対応する時間／周波数リソース上で較正信号を送信および受信するようにＲＲＵを制御する。
【００７８】
この較正パストポロジにおいては、ｎ個の（ｎは、１以上の自然数である）その他のＲＲＵがあり、ＲＲＵと、ｎ個のその他のＲＲＵのそれぞれとの間における較正パスのホップの量は１である。したがって、ＲＲＵに対応するリソース構成情報を受信した後に、ＲＲＵの制御装置は、リソース構成情報によって示される時間／周波数リソース上でｎ個のその他のＲＲＵとの間で較正信号を送信および受信するようにＲＲＵを制御し得る。
【００７９】
例においては、ＲＲＵのＭ個のチャネルが較正される必要がない（たとえば、Ｍ個のチャネルが較正されている）場合には、ＲＲＵの制御装置は、ｎ個のその他のＲＲＵとの間で較正信号を送信および受信するようにＭ個のチャネルのいずれか１つを制御し得る。
【００８０】
ＲＲＵは、周波数分割様式で較正信号を送信および受信し得る。すなわち、ＲＲＵが較正信号をｎ個のその他のＲＲＵへ送信する際には、ＲＲＵは、較正信号をｎ個のその他のＲＲＵへ同じ時間ドメインリソースおよび同じ周波数ドメインリソース上で送信する。ｎ個のその他のＲＲＵによって送信された較正信号をＲＲＵが受信する際には、ＲＲＵは、ｎ個のその他のＲＲＵによって送信された較正信号を同じ時間ドメインリソースおよびｎ個の異なる周波数ドメインリソース上で受信する。すなわち、ｎ個のその他のＲＲＵは、ｎ個の異なる周波数ドメインリソース上でＲＲＵへ較正信号を同時に送信する。
【００８１】
任意選択で、ＲＲＵのＭ個のチャネル及び較正が較正されておらず、較正される必要がある場合には、ＲＲＵの制御装置は、ｎ個のその他のＲＲＵとの間で較正信号を送信および受信するようにＭ個のチャネルのそれぞれを制御し得る。
【００８２】
例においては、ＲＲＵの制御装置は、リソース構成情報に基づいて、Ｍ個の異なるキャリア（またはサブキャリア）リソース上でｎ個のその他のＲＲＵのそれぞれへ較正信号を同時に送信するように、およびｎ個のその他のＲＲＵによって送信された較正信号をｎ個の異なる周波数ドメインリソース上で同時に受信するようにＭ個のチャネルを制御し得る。言い換えれば、ｎ個のその他のＲＲＵは、ｎ個の異なる周波数ドメインリソース上でＭ個のチャネルへ較正信号を同時に送信し、Ｍ個のチャネルのそれぞれは、ｎ個のその他のＲＲＵによって送信された較正信号を、同じ瞬間にｎ個の異なる周波数ドメインリソース上で検知する。
【００８３】
集中制御装置が時間／周波数リソースをＲＲＵに割り当てる前に、ＲＲＵの制御装置は、ＲＲＵのＭ個のチャネルが較正される必要があるかどうかを、メッセージを使用することによって集中制御装置に通知し得、それによって集中制御装置は、適切な量の時間／周波数リソースを割り当てることが可能であるということが理解され得る。
【００８４】
ステップ３０４．  ＲＲＵの制御装置は、ＲＲＵによって送信および受信された較正信号に基づいてパス情報のｍ個のグループを入手し、ｍ＝１であり、またはｍ＝Ｍであり、パス情報のｍ個のグループのそれぞれは、ＲＲＵの１つのチャネルと、ｎ個のその他のＲＲＵとの間におけるｎ個の較正パスのパス情報を含む。
【００８５】
たとえば、パス情報は、較正パスの２つの終端においてチャネル上で受信される信号およびエアインターフェースチャネル応答などの情報を含み得る。
【００８６】
ＲＲＵの制御装置が、較正信号を送信および受信するようにいずれかのチャネルを制御する場合には、ＲＲＵの制御装置は、パス情報のｍ個（ｍ＝１）のグループを入手し得る。
【００８７】
ＲＲＵの制御装置が、較正信号を別々に送信および受信するようにＭ個のチャネルを制御する場合には、ＲＲＵの制御装置は、ＲＲＵによって送信および受信された較正信号に基づいてパス情報のＭ個のグループを入手し得、パス情報のＭ個のグループは、Ｍ個のチャネルに１対１で対応する。
【００８８】
ステップ３０５．  ＲＲＵの制御装置は、パス情報のｍ個のグループに基づいてｍ個の較正係数を入手する。
【００８９】
たとえば、ＲＲＵの制御装置は、パス情報のｍ個のグループに基づいてｍ個の較正係数を計算し得る。
【００９０】
本出願においては、ｍ＝１である場合には、ＲＲＵの制御装置は、ｎ個のパス情報および伝送／受信チャネル応答基準値に基づいて較正係数を計算し得る。この方法においては、ＲＲＵの制御装置が較正係数を使用することによってＲＲＵのＭ個のチャネルを補償した後に、Ｍ個のチャネルの伝送／受信チャネル応答比率は、伝送／受信チャネル応答基準値に等しいか、またはほぼ等しい。
【００９１】
ｍ＝Ｍである場合には、ＲＲＵの制御装置は、ｍ*Ｍ個のパス情報および伝送／受信チャネル応答基準値に基づいて結合計算を実行して、Ｍ個のチャネルに１対１で対応するＭ個の較正係数を入手し得る。この方法においては、ＲＲＵの制御装置がＭ個の較正係数を使用することによってＲＲＵのＭ個のチャネルを補償した後に、Ｍ個のチャネルの伝送／受信チャネル応答比率は、伝送／受信チャネル応答基準値に等しいか、またはほぼ等しい。
【００９２】
伝送／受信チャネル応答基準値は、事前に設定された値であり得、またはＮ個のＲＲＵのうちの１つの伝送／受信チャネル応答比率であり得る。
【００９３】
図４における較正パストポロジは、例として使用されているということに留意されたい。ＲＲＵ６およびＲＲＵ４の較正係数が計算される場合には、ＲＲＵ６とＲＲＵ４との間における較正パスのパス情報も参照される。したがって、偏差の伝搬に起因するＲＲＵ６とＲＲＵ４との間における偏差の累積がなく、それによって、ＲＲＵ６とＲＲＵ４との間における較正偏差が低減され、較正精度が改善される。
【００９４】
ステップ３０６．  ＲＲＵの制御装置は、ｍ個の較正係数を使用することによってＲＲＵのＭ個のチャネルを補償する。
【００９５】
たとえば、ＲＲＵの制御装置がＭ個のチャネルを補償するプロセスは、次のとおりであり得る。チャネルが、信号を受信するための受信チャネルとして使用される場合には、受信された信号は、対応する較正係数を乗じられることが可能である。チャネルが、信号を送信するための伝送チャネルとして使用される場合には、送信された信号は、対応する較正係数で除されることが可能である。
【００９６】
任意選択で、ステップ３０５においてＲＲＵの制御装置によって入手されたｍ個の較正係数は、代替として集中制御装置によって計算され得る。図５Ａおよび図５Ｂにおいて示されているように、ステップ３０５は、下記のステップを特に含み得る。
【００９７】
ステップ３０５ａ．  ＲＲＵの制御装置は、パス情報のｍ個のグループを集中制御装置へ送信する。
【００９８】
ステップ３０５ｂ．  Ｎ個のＲＲＵの制御装置によって送信されたＮ１個のパス情報を受信した後に、集中制御装置は、Ｎ１個のパス情報に基づいて、Ｎ個のＲＲＵのそれぞれに対応する較正係数を計算する。
【００９９】
Ｎ１は、Ｎ個のＲＲＵの制御装置によって送信されたパス情報の個数の総量であり、この場合、
【０１００】
【数４】
2021505085.tif 000006
【０１０１】
であり、
【０１０２】
【数５】
2021505085.tif 000007
【０１０３】
は、Ｎ個のＲＲＵのいずれか２つの間における較正パスのホップの量が１である場合に入手される較正パスの総量を表し、Ｎ１は整数である。
【０１０４】
集中制御装置は、伝送／受信チャネル応答基準値を使用することによってＮ１個のパス情報上で結合計算を実行して、ＲＲＵに対応するｍ個の較正係数を入手し得る。言い換えれば、この例においては、ＲＲＵのそれぞれの較正係数は、Ｎ１個のパス情報に基づいて計算される。したがって、較正偏差の伝搬がなくされて、ＲＲＵどうしの間における較正偏差を低減し、較正精度を改善する。
【０１０５】
ステップ３０５ｃ．  集中制御装置は、対応する較正係数をＲＲＵへ送信する。
【０１０６】
任意選択で、本出願においては、集中制御装置は、Ｎ個のＲＲＵの間における信号品質を周期的に検知し得る。Ｎ個のＲＲＵのいずれか２つの間における信号品質が、信号品質しきい値以上である状態から、信号品質しきい値未満である状態へ変化した場合には、集中制御装置は、Ｎ個のＲＲＵの間にあってピリオド内で検知を通じて見つけ出される信号品質に基づく新たな較正パストポロジを再決定し得、前述のステップ３０１から３０６におけるプロセスを再実行し得る。
【０１０７】
たとえば、現在の較正パストポロジが、図４において示されており、集中制御装置は、ＲＲＵ１からＲＲＵ９の間における信号品質を周期的に検知する。集中制御装置は、ＲＲＵ１とＲＲＵ７との間における信号品質、およびＲＲＵ９とＲＲＵ６との間における信号品質が、信号品質しきい値よりも高い状態から、信号品質しきい値未満である状態へ変化したということを、現在のピリオド内で検知を通じて見つけ出すと想定される。ＲＲＵ７とＲＲＵ８との間における信号品質は、信号品質しきい値よりも高い。集中制御装置は、ＲＲＵ１とＲＲＵ７との間における直接接続関係、およびＲＲＵ９とＲＲＵ６との間における直接接続関係を切断し、ＲＲＵ７とＲＲＵ８との間における直接接続関係を確立して、図６において示されている更新された較正パストポロジを入手する。
【０１０８】
この例においては、Ｎ個のＲＲＵの間における信号品質が周期的に検知されて、信号品質が信号品質しきい値を満たしていない較正パスを時間内に見つけ出し、較正パストポロジを再計画し、それによって、環境インパクトに起因する切断によってもたらされる較正パスの較正失敗が回避され、較正失敗は、ＪＴパフォーマンスに影響を与える。
【０１０９】
任意選択で、較正信号は通常、ガードピリオド（ｇｕａｒｄ  ｐｅｒｉｏｄ、ＧＰ）エリア内で送信および受信され、より多くのパス情報をＲＲＵが入手できることを確実にするためにＧＰエリア内の時間／周波数ドメインリソースは限定されているので、本出願において使用される較正信号は、符号分割機能を有する較正シーケンスであり得る。
【０１１０】
たとえば、図３に基づいて、図７Ａおよび図７Ｂにおいて示されているように、ステップ３０２の前に、この方法は、下記のステップをさらに含む。
【０１１１】
ステップ３０７．  集中制御装置は、Ｎ個のＲＲＵを少なくとも２つの較正クラスタへとグループ化する。
【０１１２】
集中制御装置は、Ｎ個のＲＲＵを少なくとも２つの較正クラスタへと最初にグループ化し得る。それぞれが符号分割機能を有していて別々の較正クラスタ内のＲＲＵによって送信される較正信号どうしは直交している。したがって、別々の較正クラスタ内のＲＲＵどうしは、較正信号を同じＧＰ内で同じ周波数ドメインリソース上で、互いに干渉することなく送信することが可能である。
【０１１３】
この例においては、ステップ３０３は、下記のステップを特に含み得る。
【０１１４】
ステップ３０３ａ．  ＲＲＵの制御装置は、受信された構成リソースにおいて搬送されている較正クラスタ番号に基づいて、ＲＲＵによって送信されて較正クラスタ番号に対応する較正信号を制御する。
【０１１５】
ＲＲＵの制御装置は、較正クラスタ番号に基づいて、符号分割機能を有する較正信号を生成し得る。ＲＲＵの制御装置は、代替として較正クラスタ番号をＲＲＵへ送信し得、それによってＲＲＵは、較正クラスタ番号に基づいて、符号分割機能を有する較正信号を生成する。
【０１１６】
任意選択で、較正クラスタ番号と較正信号との間における対応が、ＲＲＵの制御装置またはＲＲＵに事前に格納され得る。ＲＲＵの制御装置は、代替として、較正クラスタ番号に基づいて、対応する較正信号を選択し得、または較正クラスタ番号をＲＲＵへ送信し得、それによってＲＲＵは、較正クラスタ番号に基づいて、対応する較正信号を選択する。
【０１１７】
たとえば、図４において示されている較正パストポロジに基づいて、ＲＲＵ６は、較正信号をＲＲＵ３およびＲＲＵ９へ送信し、ＲＲＵ１は、較正信号をＲＲＵ２、ＲＲＵ５、ＲＲＵ８、およびＲＲＵ７へ送信する。図８において示されているように、ＲＲＵ６によって送信される較正信号、およびＲＲＵ１によって送信される較正信号が直交していない場合には、ＲＲＵ６およびＲＲＵ５は、別々のＧＰエリア内で較正信号を送信すること、すなわち、それらの較正信号を送信するために２つのＧＰエリア内のリソースを占めることが必要である。ＲＲＵ６からの較正信号、およびＲＲＵ５からの較正信号が直交特徴を有する場合には、ＲＲＵ６およびＲＲＵ５の両方は、ＧＰ１エリア内で較正信号を送信することが可能であり、１つのＧＰエリア内だけのリソースが占められる必要がある。
【０１１８】
本出願においては、符号分割機能を有する較正信号を使用することによってＧＰエリア内のリソース利用が改善されることが可能であり、それによって、さらに多くの較正信号がＮ個のＲＲＵの間において送信されることが可能であり、較正パスのさらに多くのパス情報が入手されて、較正仕様を改善することが可能である。
【０１１９】
この例においては、ＲＲＵが、別のＲＲＵによって同時に送信された複数の較正信号を受信した場合には、ＲＲＵは、そのＲＲＵが属する較正クラスタの較正クラスタ番号に基づいて、受信されたシーケンスを復調して、別のＲＲＵによってそのＲＲＵへ送信された較正信号を入手し得る。
【０１２０】
本出願において提供される較正方法によれば、集中制御装置によって決定される較正パストポロジにおいて、間における信号品質が、事前に設定された信号品質しきい値以上である２つのＲＲＵの間における較正パスのホップの量は１であり、いずれか２つのＲＲＵの間における最も短い較正パスのホップの量は、事前に設定されたホップ量しきい値以下である。したがって、ＲＲＵの制御装置は、複数個のパス情報を使用することによってＲＲＵの較正係数を入手することが可能であり、それによって、マルチホップ較正パス上での較正偏差の伝搬によってもたらされる較正偏差の累積が回避される。したがって、ＲＲＵどうしの間における較正偏差が低減され、較正精度が改善される。
【０１２１】
較正スケールの拡張に伴って、較正される必要があるＲＲＵの量は増大する。較正効率を改善するために、本出願は、大量のＲＲＵが複数のサブクラスタへとグループ化される様式をさらに提供し、それぞれのサブクラスタ内のＲＲＵ上で同期的にクラスタ内較正が実行されて、較正を加速する。
【０１２２】
具体的には、較正パストポロジを決定する前に、集中制御装置は、Ｋ個の較正されることになるＲＲＵをｋ個のサブクラスタへと最初にグループ化する。ｋ個のサブクラスタ内のｈ個のサブクラスタのそれぞれが、１つの基準ＲＲＵを含み、ｋ個のサブクラスタは、少なくとも１つの基準サブクラスタを含む。基準サブクラスタは、その他の非基準サブクラスタに関するクラスタ間較正のために使用される。
【０１２３】
たとえば、図１１において示されているように、Ｋ個のＲＲＵは、５つのサブクラスタへとグループ化されると想定される。サブクラスタ１が基準サブクラスタである。サブクラスタ１内の基準ＲＲＵが、その他のサブクラスタに関するクラスタ間較正のために使用されるＲＲＵである。サブクラスタ１から５はそれぞれ、１つの基準ＲＲＵを含む。クラスタ内較正がサブクラスタ１から５内のそれぞれのＲＲＵ上で実行される場合には、ＲＲＵのチャネルは、そのＲＲＵが属するサブクラスタ内の基準ＲＲＵに対する較正係数を入手することによって較正され得る。
【０１２４】
サブクラスタへのグループ化を完遂した後に、集中制御装置は、それぞれのサブクラスタ内のＲＲＵの較正パストポロジ、およびクラスタ間較正パストポロジを計画することを含めて、較正パストポロジを計画し得る。次いで、計画された較正パスに基づいてリソースが割り当てられる。
【０１２５】
たとえば、図１１において示されているサブクラスタ１内のＲＲＵが、例として使用される。サブクラスタ１内のＲＲＵ１およびＲＲＵ２の両方が、クラスタ間較正パス上に配置されている。したがって、集中制御装置によってサブクラスタ１内のＲＲＵ１およびＲＲＵ２に割り当てられる時間／周波数リソースは、その他のサブクラスタ内のＲＲＵとの間で較正信号を送信および受信するために使用される時間／周波数リソースを含み、サブクラスタ１内のその他のＲＲＵとの間で較正信号を送信および受信するために使用される時間／周波数リソースをさらに含む。集中制御装置によってサブクラスタ１内のＲＲＵ３に割り当てられる時間／周波数リソースは、サブクラスタ１内のその他のＲＲＵとの間で較正信号を送信および受信するために使用される。リソース構成情報は、それぞれのＲＲＵが配置されているサブクラスタのクラスタ番号、基準ＲＲＵの識別子、基準サブクラスタのクラスタ番号、および基準サブクラスタ内の基準ＲＲＵの識別子などの情報を含み得るということが理解され得る。
【０１２６】
例においては、リソース構成を実行する際に、集中制御装置は、周波数分割様式で較正信号を送信および受信するようにサブクラスタ内のＲＲＵを構成し得、ｋ個のサブクラスタの間において時分割様式で送信および受信されるように較正信号を構成し得る。たとえば、それぞれのサブクラスタはｇ個のＲＲＵを含むと想定される。図１２Ｂにおいて示されているように、サブクラスタ内のｇ個のＲＲＵは、ｊ個（ｇ≧ｊ≧２）の異なるサブキャリア上で較正信号を同時に送信する。ｋ個のサブクラスタ内のＲＲＵどうし（たとえば、ｋ個のサブクラスタ内のＲＲＵ１どうし）は、同じサブキャリア上で較正信号を順に送信する。
【０１２７】
あるいは、集中制御装置は、時分割様式で較正信号を送信および受信するようにサブクラスタ内のＲＲＵを構成し得、ｋ個のサブクラスタの間において周波数分割様式で送信および受信されるように較正信号を構成し得る。たとえば、図１２Ｂにおいて示されているように、ｋ個のサブクラスタ内のＲＲＵどうし（たとえば、ｋ個のサブクラスタ内のＲＲＵ１どうし、ｋ個のサブクラスタ内のＲＲＵ２どうし、．．．、およびｋ個のサブクラスタ内のＲＲＵｉどうし）は、ｊ個の異なるサブキャリア上で較正信号を同時に送信する。サブクラスタ内のｇ個のＲＲＵは、同じサブキャリア上で較正信号を順に送信する。
【０１２８】
本出願においては、図３、図５Ａおよび図５Ｂ、または図７Ａおよび図７Ｂにおいて示されている較正方法に従ってサブクラスタ内のＲＲＵ上でクラスタ内較正が実行され得る。言い換えれば、図３、図５Ａおよび図５Ｂ、または図７Ａおよび図７Ｂにおいて示されている実施形態においては、Ｎ個のＲＲＵは、１つのサブクラスタ内のすべてのＲＲＵである。１つのサブクラスタにおいて、Ｎ個のＲＲＵは、図３、図５Ａおよび図５Ｂ、または図７Ａおよび図７Ｂにおいて示されている実施形態におけるパス情報を付加する様式で、Ｎ個のＲＲＵが属するサブクラスタ内の基準ＲＲＵに対するＮ個のＲＲＵの較正係数を入手し、較正を完遂する。
【０１２９】
あるいは、サブクラスタ内のＲＲＵは、従来のマルチホップ較正パスに基づいて、Ｎ個のＲＲＵが属するサブクラスタ内の基準ＲＲＵに対するＮ個のＲＲＵの較正係数を計算し、較正を完遂し得る。
【０１３０】
クラスタ間較正に関しては、それぞれのサブクラスタは、１つのＲＲＵとみなされ得、ｋ個のサブクラスタの間における較正は、Ｋ個のＲＲＵを較正する様式で実行される。
【０１３１】
たとえば、ｋ個のサブクラスタの間における較正は、代替として、図３、図５Ａおよび図５Ｂ、または図７Ａおよび図７Ｂにおいて示されている実施形態におけるＮ個のＲＲＵの較正プロセスに基づいて完遂され得る。
【０１３２】
このケースにおいては、それぞれの非基準サブクラスタ内の非基準ＲＲＵに関して、ＲＲＵ上でクラスタ内較正が実行された際に入手されたｍ個の較正係数（すなわち、ＲＲＵが属するサブクラスタ内の基準ＲＲＵに対するＲＲＵの較正係数）を入手することに加えて、ＲＲＵの制御装置は、クラスタ間較正係数（すなわち、基準サブクラスタ内の基準ＲＲＵに対する、ＲＲＵが属するサブクラスタ内の基準ＲＲＵの較正係数）を入手することがさらに必要である。
【０１３３】
たとえば、ＲＲＵの制御装置は、クラスタ間較正係数を受信し得る。たとえば、ＲＲＵの制御装置は、ＲＲＵが属するサブクラスタ内の別のＲＲＵの制御装置によって送信されたクラスタ間較正係数を受信する。その別のＲＲＵは、クラスタ間較正パス上に配置されていてクラスタ間較正を完遂するＲＲＵである。あるいは、ｋ個のサブクラスタが従来のマルチホップ較正パスを使用している場合には、ＲＲＵの制御装置は、ＲＲＵが属するサブクラスタの上位ホップサブクラスタ内にあるＲＲＵの制御装置によって送信されたクラスタ間較正係数を受信し得る。
【０１３４】
あるいは、集中制御装置がそれぞれのクラスタ間較正係数を計算する場合には、対応するクラスタ間較正係数は、集中制御装置から直接受信され得る。
【０１３５】
たとえば、集中制御装置がそれぞれのクラスタ間較正係数を計算する場合には、サブクラスタ内のクラスタ間較正パス上の少なくとも１つのＲＲＵが、集中制御装置によって割り当てられた時間／周波数リソースに基づいて較正信号を送信および受信し、クラスタ間較正パスのパス情報を入手し、クラスタ間較正パスの入手されたパス情報を集中制御装置へ送信する。
【０１３６】
集中制御装置は、すべてのクラスタ間較正パスの受信されたパス情報に基づいて、サブクラスタ内の少なくとも１つのＲＲＵのそれぞれに対応するクラスタ間較正係数を計算し、次いで、それらの対応するクラスタ間較正係数をサブクラスタ内の少なくとも１つのＲＲＵのそれぞれへ送信する。
【０１３７】
ＲＲＵがクラスタ間較正パス上に配置されている場合には、ＲＲＵの制御装置は、代替としてクラスタ間較正係数を計算し得る。ＲＲＵは、ｉ個（ｉ≧１）のクラスタ間較正パス上に配置されており、それぞれのクラスタ間較正パスは、互いのサブクラスタに対応すると想定される。このケースにおいては、ＲＲＵの制御装置は、ｉ個のその他のサブクラスタのそれぞれの中のＲＲＵとの間で較正信号を送信および受信するようにＲＲＵを制御して、ＲＲＵと、ｉ個のその他のサブクラスタ内のｉ個のＲＲＵとの間におけるｉ個のクラスタ間較正パスのパス情報を入手する必要がある。ＲＲＵの制御装置は、ｉ個のクラスタ間較正パスのパス情報に基づいてクラスタ間較正係数を入手する。
【０１３８】
クラスタ間較正係数を計算した後に、ＲＲＵの制御装置は、ＲＲＵが属するサブクラスタ内の別のＲＲＵの制御装置へクラスタ間較正係数を送信することをさらに必要とし、それによって、その別のＲＲＵは、クラスタ間較正係数を使用することによってクラスタ間較正を実行する。
【０１３９】
ｍ個の較正係数およびクラスタ間較正係数を入手した後に、ＲＲＵのＭ個のチャネルを補償する場合には、ＲＲＵは、ｍ個の較正係数にクラスタ間較正係数を別々に乗じて、ｍ個の結合較正係数を入手し得る。次いで、ｍ個の結合較正係数を使用することによって、ＲＲＵのＭ個のチャネルが補償される。
【０１４０】
非基準サブクラスタ内の基準ＲＲＵに関しては、基準ＲＲＵのＭ個のチャネルを補償するためには、クラスタ間較正係数のみが使用される必要があるということが理解され得る。基準サブクラスタ内の非基準ＲＲＵに関しては、非基準ＲＲＵのＭ個のチャネルを補償するためには、クラスタ内較正中に入手されたｍ個の較正係数のみが使用される必要がある。
【０１４１】
本出願において提供されるソリューションは、主として、ネットワーク要素どうしの間における対話という観点から上述されている。前述の機能を実施するために、ＲＲＵの制御装置および集中制御装置などのネットワーク要素は、それらの機能を実行するための対応するハードウェア構造および／またはソフトウェアモジュールを含むということが理解され得る。本明細書において開示されている実施形態において記述されているユニットおよびアルゴリズムステップの例と組み合わせて、本出願は、ハードウェア、またはハードウェアとコンピュータソフトウェアとの組合せによって実施され得るということに当業者なら容易に気づくはずである。機能がハードウェアによって実行されるか、またはコンピュータソフトウェアによって駆動されるハードウェアによって実行されるかは、技術的なソリューションの個別の用途および設計制約に依存する。当業者なら、機能をそれぞれの個別の用途のために実施する目的でさまざまな方法を使用し得るが、その実装は本出願の範囲を超えるものとみなされるべきではない。
【０１４２】
本出願においては、ＲＲＵの制御装置、集中制御装置などの機能モジュールは、前述の方法の例に基づいた区分を通じて入手され得る。たとえば、機能モジュールどうしは、機能に対応して区分され得、または２つ以上の機能が統合されて１つの処理モジュールになり得る。その統合されたモジュールは、ハードウェアの形態で実装され得、またはソフトウェア機能モジュールの形態で実装され得る。本出願においては、モジュールへの区分は例であり、論理的な機能区分にすぎないということに留意されたい。実際の実装中には、別の区分様式が使用され得る。
【０１４３】
機能モジュールどうしが、機能に対応して区分される場合に、図９Ａは、前述の実施形態におけるＲＲＵの制御装置の可能な概略構造図である。ＲＲＵの制御装置は、トランシーバユニット９０１および処理ユニット９０２を含む。トランシーバユニット９０１は、図３、図５Ａおよび図５Ｂ、ならびに図７Ａおよび図７Ｂにおけるステップ３０２を実行する際にＲＲＵの制御装置をサポートするように構成されている。処理ユニット９０２は、図３におけるステップ３０３から３０６、図５Ａおよび図５Ｂにおけるステップ３０３、３０４、３０５ａ、３０５ｃ、および３０６、ならびに図７Ａおよび図７Ｂにおけるステップ３０３ａおよび３０４から３０６を実行する際にＲＲＵの制御装置をサポートするように構成されている。前述の方法実施形態におけるステップのすべての関連した内容は、対応する機能モジュールの機能説明において引用され得る。本明細書では詳細は記述されない。
【０１４４】
統合されたユニットが使用される場合に、図９Ｂは、前述の実施形態におけるＲＲＵの制御装置の可能な概略構造図である。ＲＲＵの制御装置は、処理モジュール９１１および通信モジュール９１２を含む。処理モジュール９１１は、ＲＲＵの制御装置のアクションを制御および管理するように構成されている。たとえば、処理モジュール９１１は、図３におけるステップ３０２から３０６、図５Ａおよび図５Ｂにおけるステップ３０２から３０４、３０５ａ、３０５ｃ、および３０６、ならびに図７Ａおよび図７Ｂにおけるステップ３０２、３０３ａ、および３０４から３０６を実行する際にＲＲＵの制御装置をサポートするように構成され、ならびに／または本明細書において記述されているテクノロジーの別のプロセスを実行するように構成されている。通信モジュール９１２は、ＲＲＵの制御装置と、別のネットワークエンティティーとの間における通信をサポートするように構成されている。ＲＲＵの制御装置は、ＲＲＵの制御装置のプログラムコードおよびデータを格納するように構成されているストレージモジュール９１３をさらに含み得る。
【０１４５】
処理モジュール９１１は、プロセッサまたはコントローラであり得、たとえば、中央処理装置（ｃｅｎｔｒａｌ  ｐｒｏｃｅｓｓｉｎｇ  ｕｎｉｔ、ＣＰＵ）、汎用プロセッサ、デジタルシグナルプロセッサ（ｄｉｇｉｔａｌ  ｓｉｇｎａｌ  ｐｒｏｃｅｓｓｉｎｇ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）もしくは別のプログラマブルロジックデバイス、トランジスタロジックデバイス、ハードウェアコンポーネント、またはそれらの任意の組合せであり得る。処理モジュール９１１は、本出願において開示されている内容に関連して記述されているさまざまな例示的な論理ブロック、モジュール、および回路を実施または実行し得る。あるいは、プロセッサは、コンピューティング機能を実施するための組合せ、たとえば、１つもしくは複数のマイクロプロセッサの組合せ、またはＤＳＰとマイクロプロセッサとの組合せであり得る。通信モジュール９１２は、トランシーバ、トランシーバ回路、通信インターフェースなどであり得る。ストレージモジュール９１３は、メモリであり得る。
【０１４６】
処理モジュール９１１がプロセッサである場合には、通信モジュール９１２はトランシーバであり、ストレージモジュール９１３はメモリであり、本出願におけるＲＲＵの制御装置は、図９Ｃにおいて示されているＲＲＵの制御装置であり得る。
【０１４７】
図９Ｃを参照すると、ＲＲＵの制御装置は、プロセッサ９２１、トランシーバ９２２、メモリ９２３、およびバス９２４を含む。トランシーバ９２２、プロセッサ９２１、およびメモリ９２３は、バス９２４を使用することによって互いに接続されている。バス９２４は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、エクステンデッドインダストリースタンダードアーキテクチャー（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであり得る。このバスは、アドレスバス、データバス、制御バスなどへと分類され得る。表示を容易にするために、図９Ｃにおいては、このバスを表すために１つだけの太線が使用されているが、これは、１つのバスしかない、または１つのタイプのバスしかないということを意味しているわけではない。
【０１４８】
機能モジュールどうしが、機能に対応して区分される場合に、図１０Ａは、前述の実施形態における集中制御装置の可能な概略構造図である。集中制御装置は、決定ユニット１００１、送信ユニット１００２、計算ユニット１００３、受信ユニット１００４、および検知ユニット１００５を含む。決定ユニット１００１は、図３、図５Ａおよび図５Ｂ、ならびに図７Ａおよび図７Ｂにおけるステップ３０１を実行する際に集中制御装置をサポートするように構成されている。送信ユニット１００２は、図３ならびに図７Ａおよび図７Ｂにおけるステップ３０２、ならびに図５Ａおよび図５Ｂにおけるステップ３０５ｃを実行する際に集中制御装置をサポートするように構成されている。計算ユニット１００３は、図５Ａおよび図５Ｂにおけるステップ３０５ｂを実行する際に集中制御装置をサポートするように構成されている。受信ユニット１００４は、図５Ａおよび図５Ｂにおけるステップ３０５ａを実行する際に集中制御装置をサポートするように構成されている。検知ユニットは、図７Ａおよび図７Ｂにおけるステップ３０７を実行する際に集中制御装置をサポートするように構成されている。前述の方法実施形態におけるステップのすべての関連した内容は、対応する機能モジュールの機能説明において引用され得る。本明細書では詳細は記述されない。
【０１４９】
統合されたユニットが使用される場合に、図１０Ｂは、前述の実施形態における集中制御装置の可能な概略構造図である。集中制御装置は、処理モジュール１０１１および通信モジュール１０１２を含む。処理モジュール１０１１は、集中制御装置のアクションを制御および管理するように構成されている。たとえば、処理モジュール１０１１は、図３におけるステップ３０１および３０２、図５Ａおよび図５Ｂにおけるステップ３０１、３０２、および３０５ａから３０５ｃ、ならびに図７Ａおよび図７Ｂにおけるステップ３０７、３０１、および３０２を実行する際に集中制御装置をサポートするように構成され、ならびに／または本明細書において記述されているテクノロジーの別のプロセスを実行するように構成されている。通信モジュール１０１２は、集中制御装置と、別のネットワークエンティティーとの間における通信をサポートするように構成されている。集中制御装置は、集中制御装置のプログラムコードおよびデータを格納するように構成されているストレージモジュール１０１３をさらに含み得る。
【０１５０】
処理モジュール１０１１は、プロセッサまたはコントローラであり得、たとえば、ＣＰＵ、汎用プロセッサ、ＤＳＰ、ＡＳＩＣ、ＦＰＧＡもしくは別のプログラマブルロジックデバイス、トランジスタロジックデバイス、ハードウェアコンポーネント、またはそれらの任意の組合せであり得る。処理モジュール１０１１は、本出願において開示されている内容に関連して記述されているさまざまな例示的な論理ブロック、モジュール、および回路を実施または実行し得る。あるいは、プロセッサは、コンピューティング機能を実施するための組合せ、たとえば、１つもしくは複数のマイクロプロセッサの組合せ、またはＤＳＰとマイクロプロセッサとの組合せであり得る。通信モジュール１０１１は、トランシーバ、トランシーバ回路、通信インターフェースなどであり得る。ストレージモジュール１０１３は、メモリであり得る。
【０１５１】
処理モジュール１０１１がプロセッサである場合には、通信モジュール１０１２はトランシーバであり、ストレージモジュール１０１３はメモリであり、本出願における集中制御装置は、図１０Ｃにおいて示されている集中制御装置であり得る。
【０１５２】
図１０Ｃを参照すると、集中制御装置は、プロセッサ１０２１、トランシーバ１０２２、メモリ１０２３、およびバス１０２３を含む。トランシーバ１０２２、プロセッサ１０２１、およびメモリ１０２３は、バス１０２４を使用することによって互いに接続されている。バス１０２４は、ＰＣＩバス、ＥＩＳＡバスなどであり得る。このバスは、アドレスバス、データバス、制御バスなどへと分類され得る。表示を容易にするために、図１０Ｃにおいては、このバスを表すために１つだけの太線が使用されているが、これは、１つのバスしかない、または１つのタイプのバスしかないということを意味しているわけではない。
【０１５３】
本出願は、ＲＲＵの制御装置および／または集中制御装置によって実行されるステップを実行するように構成されているユニットまたは手段を含む通信装置をさらに提供する。通信装置はチップであり得る。特定の実施中に、本出願は、コンピュータストレージメディアをさらに提供する。コンピュータストレージメディアは、プログラムを格納し得る。プログラムが実行されたときに、本出願において提供される較正方法の実施形態におけるステップのうちのいくつかまたはすべてが実行され得る。ストレージメディアは、磁気ディスク、光ディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）などであり得る。
【０１５４】
本出願は、命令を含むコンピュータプログラム製品をさらに提供する。コンピュータ上で実行されたときに、コンピュータプログラム製品は、本出願において提供される較正方法の実施形態におけるステップのうちのいくつかまたはすべてをコンピュータが実行することを可能にする。
【０１５５】
本出願の実施形態におけるテクノロジーは、必要な一般的なハードウェアプラットフォームに加えてソフトウェアによって実施され得るということを当業者なら明確に理解し得る。そのような理解に基づいて、本出願の実施形態における技術的なソリューションは本質的に、または従来技術に寄与する部分は、ソフトウェア製品の形態で実施され得る。コンピュータソフトウェア製品は、ＲＯＭ／ＲＡＭ、磁気ディスク、または光ディスクなどのストレージメディアに格納され得、本出願の実施形態またはそれらの実施形態のいくつかの部分において記述されている方法を実行するようにコンピュータデバイス（それは、パーソナルコンピュータ、サーバ、ネットワークデバイスなどであり得る）に指示するためのいくつかの命令を含む。
【０１５６】
本明細書における実施形態における同じまたは同様の部分どうしに関しては、互いを参照されたい。特に、集中制御装置の実施形態は、基本的には方法実施形態と同様であり、したがって簡単に記述されている。関連した部分に関しては、方法実施形態における記述を参照されたい。
【０１５７】
本出願の前述の実施態様は、本出願の保護範囲を限定することを意図されているものではない。
【図１】
2021505085.tif 000012
【図２Ａ】
2021505085.tif 000013
【図２Ｂ】
2021505085.tif 000014
【図３】
2021505085.tif 000015
【図４】
2021505085.tif 000016
【図５Ａ】
2021505085.tif 000017
【図５Ｂ】
2021505085.tif 000018
【図６】
2021505085.tif 000019
【図７Ａ】
2021505085.tif 000020
【図７Ｂ】
2021505085.tif 000021
【図８】
2021505085.tif 000022
【図９Ａ】
2021505085.tif 000023
【図９Ｂ】
2021505085.tif 000024
【図９Ｃ】
2021505085.tif 000025
【図１０Ａ】
2021505085.tif 000026
【図１０Ｂ】
2021505085.tif 000027
【図１０Ｃ】
2021505085.tif 000028
【図１１】
2021505085.tif 000029
【図１２Ａ】
2021505085.tif 000030
【図１２Ｂ】
2021505085.tif 000031
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
リモートラジオユニット（ＲＲＵ）の制御装置によって、集中制御装置によって送信されたリソース構成情報を受信するステップであって、前記リソース構成情報によって示される時間／周波数リソースは、前記ＲＲＵとｎ個のその他のＲＲＵとの間において較正信号を送信および受信するために使用され、前記ｎ個のその他のＲＲＵは、前記集中制御装置によって決定された較正パストポロジ内のＲＲＵであり、前記ＲＲＵと、前記ｎ個のその他のＲＲＵのそれぞれとの間における較正パスのホップの量は１であり、前記較正パストポロジ内のいずれか２つのＲＲＵの間における最も短い較正パスのホップの量は、事前に設定されたホップ量しきい値以下であり、ｎは、１以上の自然数である、ステップと、
前記ＲＲＵの前記制御装置によって前記リソース構成情報に基づいて、前記時間／周波数リソース上で較正信号を送信および受信するように前記ＲＲＵを制御するステップと、
前記ＲＲＵの前記制御装置によって、前記ＲＲＵによって送信および受信された前記較正信号に基づいてパス情報のｍ個のグループを入手するステップであって、ｍ＝１であり、またはｍ＝Ｍであり、Ｍは、前記ＲＲＵのチャネルの量であり、パス情報の前記ｍ個のグループのそれぞれは、前記ＲＲＵの１つのチャネルと、前記ｎ個のその他のＲＲＵとの間におけるｎ個の較正パスのパス情報を含む、ステップと、
前記ＲＲＵの前記制御装置によって、パス情報の前記ｍ個のグループに基づいてｍ個の較正係数を入手するステップと、
前記ＲＲＵの前記制御装置によって、前記ｍ個の較正係数を使用することによって前記ＲＲＵの前記Ｍ個のチャネルを補償するステップと
を含む較正方法。
【請求項２】
前記ＲＲＵの前記制御装置によって、パス情報の前記ｍ個のグループに基づいてｍ個の較正係数を入手する前記ステップは、
前記ＲＲＵの前記制御装置によって、パス情報の前記ｍ個のグループに基づいて前記ｍ個の較正係数を計算するステップ、または
前記ＲＲＵの前記制御装置によって、パス情報の前記ｍ個のグループを前記集中制御装置へ送信し、それによって前記集中制御装置は、パス情報の前記ｍ個のグループに基づいて前記ｍ個の較正係数を計算するステップと、
前記ＲＲＵの前記制御装置によって、前記集中制御装置によって送信された前記ｍ個の較正係数を受信するステップとを含む請求項１に記載の方法。
【請求項３】
前記Ｍ個のチャネルが較正されていない場合には、ｍ＝Ｍであり、パス情報の前記ｍ個のグループは、前記Ｍ個のチャネルに１対１で対応し、前記ｍ個の較正係数は、前記Ｍ個のチャネルに１対１で対応する請求項１または２に記載の方法。
【請求項４】
前記ＲＲＵの前記制御装置によって前記リソース構成情報に基づいて、前記時間／周波数リソース上で較正信号を送信および受信するように前記ＲＲＵを制御する前記ステップは、
前記ＲＲＵの前記制御装置によって前記リソース構成情報に基づいて、Ｍ個の異なるキャリアリソース上で前記ｎ個のその他のＲＲＵのそれぞれへ較正信号を送信するように、および前記ｎ個のその他のＲＲＵによって送信された較正信号をｎ個の異なる周波数ドメインリソース上で受信するように前記Ｍ個のチャネルを制御するステップを含む請求項３に記載の方法。
【請求項５】
前記リソース構成情報は、前記ＲＲＵの較正クラスタ番号をさらに含み、前記ＲＲＵの前記制御装置によって前記リソース構成情報に基づいて、前記時間／周波数リソース上で較正信号を送信および受信するように前記ＲＲＵを制御する前記ステップは、
前記ＲＲＵの前記制御装置によって前記較正クラスタ番号に基づいて、前記ＲＲＵによって送信されて前記較正クラスタ番号に対応する較正信号を制御するステップであって、前記ＲＲＵによって送信される前記較正信号、および前記ＲＲＵの前記較正クラスタ番号とは異なる較正クラスタ番号を有するＲＲＵによって送信される較正信号が符号分割直交している、ステップを含む請求項１乃至４のいずれか一項に記載の方法。
【請求項６】
前記ＲＲＵは、サブクラスタ内のＲＲＵであり、前記方法は、
前記ＲＲＵの前記制御装置によって、クラスタ間較正係数を受信するステップであって、前記クラスタ間較正係数は、基準サブクラスタ内の基準ＲＲＵに対する、前記ＲＲＵが属する前記サブクラスタ内の基準ＲＲＵの較正係数であり、前記ｍ個の較正係数は、前記ＲＲＵが属する前記サブクラスタ内の前記基準ＲＲＵに対する前記ＲＲＵの較正係数である、ステップをさらに含み、
前記ＲＲＵの前記制御装置によって、前記ｍ個の較正係数を使用することによって前記ＲＲＵの前記Ｍ個のチャネルを補償する前記ステップは、
前記ＲＲＵの前記制御装置によって、前記ｍ個の較正係数に前記クラスタ間較正係数を別々に乗じて、ｍ個の結合較正係数を入手するステップと、
前記ＲＲＵの前記制御装置によって、前記ｍ個の結合較正係数を使用することによって前記ＲＲＵの前記Ｍ個のチャネルを補償するステップとを含む請求項１乃至５のいずれか一項に記載の方法。
【請求項７】
前記ＲＲＵは、サブクラスタ内のＲＲＵであり、前記方法は、
前記ＲＲＵの前記制御装置によって、ｉ個のその他のサブクラスタのそれぞれの中のＲＲＵとの間で較正信号を送信および受信して、前記ＲＲＵと、前記ｉ個のその他のサブクラスタ内の前記ｉ個のＲＲＵとの間におけるｉ個のクラスタ間較正パスのパス情報を入手するように前記ＲＲＵを制御するステップであって、ｉ≧１であり、ｉは整数である、ステップと、
前記ＲＲＵの前記制御装置によって、前記ｉ個の較正パスの前記パス情報に基づいてクラスタ間較正係数を入手するステップと、
前記ＲＲＵの前記制御装置によって、前記ＲＲＵが属する前記サブクラスタ内の別のＲＲＵの制御装置へ前記クラスタ間較正係数を送信するステップとをさらに含み、
前記ＲＲＵの前記制御装置によって、前記ｍ個の較正係数を使用することによって前記ＲＲＵの前記Ｍ個のチャネルを補償する前記ステップは、
前記ＲＲＵの前記制御装置によって、前記ｍ個の較正係数に前記クラスタ間較正係数を別々に乗じて、ｍ個の結合較正係数を入手するステップを含む請求項１乃至５のいずれか一項に記載の方法。
【請求項８】
集中制御装置によって、Ｎ個のリモートラジオユニット（ＲＲＵ）の間における信号品質に基づいて較正パストポロジを決定するステップであって、前記較正パストポロジにおいて、間における信号品質が、事前に設定された信号品質しきい値以上である２つのＲＲＵの間における較正パスのホップの量が１であり、いずれか２つのＲＲＵの間における最も短い較正パスのホップの量が、事前に設定されたホップ量しきい値以下である、ステップと、
前記集中制御装置によって、前記較正パストポロジに基づいて前記Ｎ個のＲＲＵのそれぞれに時間／周波数リソースを割り当て、前記対応する時間／周波数リソースを示すために使用される構成情報を前記Ｎ個のＲＲＵのうちのそれぞれの制御装置へ送信するステップであって、前記ＲＲＵに対応する前記時間／周波数リソースは、前記ＲＲＵによって較正信号を送信および受信するために使用される、ステップと
を含む較正方法。
【請求項９】
前記集中制御装置によって、前記対応する時間／周波数リソースを示すために使用される構成情報を前記Ｎ個のＲＲＵのうちのそれぞれの制御装置へ送信する前記ステップの後に、
前記集中制御装置によって、前記Ｎ個のＲＲＵの前記制御装置によって送信されたＮ１個のパス情報を受信するステップであって、前記パス情報は、ホップの量が１である較正パスのパス情報であり、
【数１】
2021505085.tif 000032
であり、
【数２】
2021505085.tif 000033
は、前記Ｎ個のＲＲＵのいずれか２つの間における較正パスのホップの量が１である場合に入手される較正パスの総量を表し、Ｎ１は整数である、ステップと、
前記集中制御装置によって前記Ｎ１個のパス情報に基づいて、前記Ｎ個のＲＲＵのそれぞれに対応する較正係数を計算するステップと、
前記集中制御装置によって、前記対応する較正係数を前記ＲＲＵの前記制御装置へ送信するステップとをさらに含む請求項８に記載の方法。
【請求項１０】
前記集中制御装置によって、前記Ｎ個のＲＲＵの前記制御装置によって送信されたＮ１個のパス情報を受信する前記ステップは、
前記集中制御装置によって、前記ＲＲＵの前記制御装置からパス情報のｍ個のグループを受信するステップを含み、パス情報のそれぞれのグループは、ｎ個のパス情報を含み、ｍ＝１であり、またはｍ＝Ｍであり、Ｍは、前記ＲＲＵのチャネルの量であり、ｎは、ＲＲＵの量であり、それらのそれぞれと、前記ＲＲＵとの間においては、較正パスのホップの量は１であり、
前記ＲＲＵに対応するｍ個の較正係数がある請求項９に記載の方法。
【請求項１１】
前記集中制御装置によって、前記較正パストポロジに基づいて前記Ｎ個のＲＲＵのそれぞれに時間／周波数リソースを割り当てる前記ステップの前に、
前記集中制御装置によって、前記Ｎ個のＲＲＵを少なくとも２つの較正クラスタへとグループ化するステップをさらに含み、
前記集中制御装置によって前記ＲＲＵへ送信される前記リソース構成情報は、前記ＲＲＵが属する較正クラスタの較正クラスタ番号をさらに含む請求項８乃至１０のいずれか一項に記載の方法。
【請求項１２】
前記集中制御装置によって、前記Ｎ個のＲＲＵの間における前記信号品質を周期的に検知するステップと、
前記集中制御装置によって、前記Ｎ個のＲＲＵのいずれか２つの間における信号品質が、前記信号品質しきい値以上である状態から、前記信号品質しきい値未満である状態へ変化した場合には較正パストポロジを再決定するステップと
をさらに含む請求項８乃至１１のいずれか一項に記載の方法。
【請求項１３】
集中制御装置によって、Ｎ個のＲＲＵの間における信号品質に基づいて較正パストポロジを決定する前記ステップの前に、
前記集中制御装置によって、Ｋ個のＲＲＵをｋ個のサブクラスタへとグループ化するステップであって、前記ｋ個のサブクラスタのうちのｈ個のサブクラスタのそれぞれは、１つの基準ＲＲＵを含み、前記ｋ個のサブクラスタは、少なくとも１つの基準サブクラスタを含み、前記Ｎ個のＲＲＵは、前記ｋ個のサブクラスタのうちの１つの中のすべてのＲＲＵである、ステップをさらに含む請求項８乃至１２のいずれか一項に記載の方法。
【請求項１４】
前記集中制御装置は、前記サブクラスタ内の少なくとも１つのＲＲＵによって送信されるクラスタ間較正パスのパス情報を受信し、
前記集中制御装置は、すべてのクラスタ間較正パスの受信されたパス情報に基づいて、前記サブクラスタ内の前記少なくとも１つのＲＲＵのそれぞれに対応するクラスタ間較正係数を計算し、
前記集中制御装置は、前記対応するクラスタ間較正係数を前記サブクラスタ内の前記少なくとも１つのＲＲＵのそれぞれへ送信する請求項１３に記載の方法。
【請求項１５】
リモートラジオユニット（ＲＲＵ）の制御装置であって、
集中制御装置によって送信されたリソース構成情報を受信するように構成されているトランシーバユニットであって、前記リソース構成情報によって示される時間／周波数リソースは、前記ＲＲＵとｎ個のその他のＲＲＵとの間において較正信号を送信および受信するために使用され、前記ｎ個のその他のＲＲＵは、前記集中制御装置によって決定された較正パストポロジ内のＲＲＵであり、前記ＲＲＵと、前記ｎ個のその他のＲＲＵのそれぞれとの間における較正パスのホップの量は１であり、前記較正パストポロジ内のいずれか２つのＲＲＵの間における最も短い較正パスのホップの量は、事前に設定されたホップ量しきい値以下であり、ｎは、１以上の自然数である、トランシーバユニットと、
前記トランシーバユニットによって受信された前記リソース構成情報に基づいて、前記時間／周波数リソース上で前記較正信号を送信および受信するように前記ＲＲＵを制御すること、
前記ＲＲＵによって送信および受信された前記較正信号に基づいてパス情報のｍ個のグループを入手することであって、ｍ＝１であり、またはｍ＝Ｍであり、Ｍは、前記ＲＲＵのチャネルの量であり、パス情報の前記ｍ個のグループのそれぞれは、前記ＲＲＵの１つのチャネルと、前記ｎ個のその他のＲＲＵとの間におけるｎ個の較正パスのパス情報を含む、入手すること、
パス情報の前記ｍ個のグループに基づいてｍ個の較正係数を入手すること、ならびに
前記ｍ個の較正係数を使用することによって前記ＲＲＵの前記Ｍ個のチャネルを補償すること
を行うように構成されている処理ユニットとを含むリモートラジオユニットＲＲＵの制御装置。
【請求項１６】
前記処理ユニットが、パス情報の前記ｍ個のグループに基づいて前記ｍ個の較正係数を入手することは、
パス情報の前記ｍ個のグループに基づいて前記ｍ個の較正係数を計算すること、または
パス情報の前記ｍ個のグループを前記集中制御装置へ送信し、それによって前記集中制御装置は、パス情報の前記ｍ個のグループに基づいて前記ｍ個の較正係数を計算することと、
前記集中制御装置によって送信された前記ｍ個の較正係数を受信することとを含む請求項１５に記載のＲＲＵの制御装置。
【請求項１７】
前記Ｍ個のチャネルが較正されていない場合には、ｍ＝Ｍであり、パス情報の前記ｍ個のグループは、前記Ｍ個のチャネルに１対１で対応し、前記ｍ個の較正係数は、前記Ｍ個のチャネルに１対１で対応する請求項１５または１６に記載のＲＲＵの制御装置。
【請求項１８】
前記処理ユニットが、前記リソース構成情報に基づいて、前記時間／周波数リソース上で較正信号を送信および受信するように前記ＲＲＵを制御することは、
前記リソース構成情報に基づいて、Ｍ個の異なるキャリアリソース上で前記ｎ個のその他のＲＲＵのそれぞれへ較正信号を送信するように、および前記ｎ個のその他のＲＲＵによって送信された較正信号をｎ個の異なる周波数ドメインリソース上で受信するように前記Ｍ個のチャネルを制御することを含む請求項１７に記載のＲＲＵの制御装置。
【請求項１９】
前記リソース構成情報は、前記ＲＲＵの較正クラスタ番号をさらに含み、前記処理ユニットが、前記リソース構成情報に基づいて、前記時間／周波数リソース上で較正信号を送信および受信するように前記ＲＲＵを制御することは、
前記較正クラスタ番号に基づいて、前記ＲＲＵによって送信されて前記較正クラスタ番号に対応する較正信号を制御することであって、前記ＲＲＵによって送信される前記較正信号、および前記ＲＲＵの前記較正クラスタ番号とは異なる較正クラスタ番号を有するＲＲＵによって送信される較正信号が符号分割直交している、制御することを含む請求項１５乃至１８のいずれか一項に記載のＲＲＵの制御装置。
【請求項２０】
前記ＲＲＵは、サブクラスタ内のＲＲＵであり、
前記処理ユニットは、クラスタ間較正係数を受信するようにさらに構成されており、前記クラスタ間較正係数は、基準サブクラスタ内の基準ＲＲＵに対する、前記ＲＲＵが属する前記サブクラスタ内の基準ＲＲＵの較正係数であり、前記ｍ個の較正係数は、前記ＲＲＵが属する前記サブクラスタ内の前記基準ＲＲＵに対する前記ＲＲＵの較正係数であり、
前記処理ユニットが、前記ｍ個の較正係数を使用することによって前記ＲＲＵの前記Ｍ個のチャネルを補償することは、
前記ｍ個の較正係数に前記クラスタ間較正係数を別々に乗じて、ｍ個の結合較正係数を入手することと、
前記ｍ個の結合較正係数を使用することによって前記ＲＲＵの前記Ｍ個のチャネルを補償することとを含む請求項１５乃至１９のいずれか一項に記載のＲＲＵの制御装置。
【請求項２１】
前記ＲＲＵは、サブクラスタ内のＲＲＵであり、
前記トランシーバユニットは、ｉ個のその他のサブクラスタのそれぞれの中のＲＲＵとの間で較正信号を送信および受信して、前記ＲＲＵと、前記ｉ個のその他のサブクラスタ内の前記ｉ個のＲＲＵとの間におけるｉ個のクラスタ間較正パスのパス情報を入手するように前記ＲＲＵを制御するようにさらに構成されており、ｉ≧１であり、
前記処理ユニットは、
前記ｉ個の較正パスの前記パス情報に基づいてクラスタ間較正係数を入手することと、
前記ＲＲＵが属する前記サブクラスタ内の別のＲＲＵの制御装置へ前記クラスタ間較正係数を送信することとを行うようにさらに構成されており、
前記処理ユニットが、前記ｍ個の較正係数を使用することによって前記ＲＲＵの前記Ｍ個のチャネルを補償することは、
前記ｍ個の較正係数に前記クラスタ間較正係数を別々に乗じて、ｍ個の結合較正係数を入手することを含む請求項１５乃至１９のいずれか一項に記載のＲＲＵの制御装置。
【請求項２２】
Ｎ個のリモートラジオユニット（ＲＲＵ）の間における信号品質に基づいて較正パストポロジを決定するように構成されている決定ユニットであって、前記較正パストポロジにおいて、間における信号品質が、事前に設定された信号品質しきい値以上である２つのＲＲＵの間における較正パスのホップの量が１であり、いずれか２つのＲＲＵの間における最も短い較正パスのホップの量が、事前に設定されたホップ量しきい値以下である、決定ユニットと、
前記決定ユニットによって決定された前記較正パストポロジに基づいて前記Ｎ個のＲＲＵのそれぞれに時間／周波数リソースを割り当て、前記対応する時間／周波数リソースを示すために使用される構成情報を前記Ｎ個のＲＲＵのうちのそれぞれの制御装置へ送信するように構成されている送信ユニットであって、前記ＲＲＵに対応する前記時間／周波数リソースは、前記ＲＲＵによって較正信号を送信および受信するために使用される、送信ユニットと
を含む集中制御装置。
【請求項２３】
前記集中制御装置は、受信ユニットおよび計算ユニットをさらに含み、前記送信ユニットが、前記対応する時間／周波数リソースを示すために使用される前記構成情報を前記ＲＲＵの前記制御装置へ送信した後に、
前記受信ユニットは、前記Ｎ個のＲＲＵの前記制御装置によって送信されたＮ１個のパス情報を受信するように構成されており、前記パス情報は、ホップの量が１である較正パスのパス情報であり、
【数３】
2021505085.tif 000034
であり、
【数４】
2021505085.tif 000035
は、前記Ｎ個のＲＲＵのいずれか２つの間における較正パスのホップの量が１である場合に入手される較正パスの総量を表し、Ｎ１は整数であり、
前記計算ユニットは、前記受信ユニットによって受信された前記Ｎ１個のパス情報に基づいて、前記ＲＲＵに対応する較正係数を計算するように構成されており、
前記送信ユニットは、前記対応する較正係数を前記ＲＲＵの前記制御装置へ送信するようにさらに構成されている請求項２２に記載の集中制御装置。
【請求項２４】
前記受信ユニットが、前記Ｎ個のＲＲＵの前記制御装置によって送信された前記Ｎ１個のパス情報を受信することは、
前記ＲＲＵの前記制御装置からパス情報のｍ個のグループを受信することを含み、パス情報のそれぞれのグループは、ｎ個のパス情報を含み、ｍ＝１であり、またはｍ＝Ｍであり、Ｍは、前記ＲＲＵのチャネルの量であり、ｎは、ＲＲＵの量であり、それらのそれぞれと、前記ＲＲＵとの間においては、較正パスのホップの量は１であり、
前記ＲＲＵに対応するｍ個の較正係数がある請求項２３に記載の集中制御装置。
【請求項２５】
前記決定ユニットは、前記送信ユニットが前記較正パストポロジに基づいて前記Ｎ個のＲＲＵのそれぞれに前記時間／周波数リソースを割り当てる前に、前記Ｎ個のＲＲＵを少なくとも２つの較正クラスタへとグループ化し、前記少なくとも２つの較正クラスタの較正クラスタ番号を決定するようにさらに構成されており、
前記送信ユニットによって前記ＲＲＵへ送信される前記リソース構成情報は、前記ＲＲＵが属する較正クラスタの較正クラスタ番号をさらに含む
請求項２２乃至２４のいずれか一項に記載の集中制御装置。
【請求項２６】
前記集中制御装置は、検知ユニットをさらに含み、
前記検知ユニットは、前記Ｎ個のＲＲＵの間における前記信号品質を周期的に検知するように構成されており、
前記決定ユニットは、前記Ｎ個のＲＲＵのいずれか２つの間における信号品質が、前記信号品質しきい値以上である状態から、前記信号品質しきい値未満である状態へ変化したということを前記検知ユニットが検知を通じて見つけ出した場合には較正パストポロジを再決定するようにさらに構成されている請求項２２乃至２５のいずれか一項に記載の集中制御装置。
【請求項２７】
前記決定ユニットは、前記Ｎ個のＲＲＵの間における前記信号品質に基づいて前記較正パストポロジを決定する前に、Ｋ個のＲＲＵをｋ個のサブクラスタへとグループ化するようにさらに構成されており、前記ｋ個のサブクラスタのうちのｈ個のサブクラスタのそれぞれは、１つの基準ＲＲＵを含み、前記ｋ個のサブクラスタは、少なくとも１つの基準サブクラスタを含み、前記Ｎ個のＲＲＵは、前記ｋ個のサブクラスタのうちの１つの中のすべてのＲＲＵである
請求項２３乃至２６のいずれか一項に記載の集中制御装置。
【請求項２８】
前記受信ユニットは、前記サブクラスタ内の少なくとも１つのＲＲＵによって送信されるクラスタ間較正パスのパス情報を受信するようにさらに構成されており、
計算ユニットは、前記受信ユニットによって受信されるすべてのクラスタ間較正パスのパス情報に基づいて、前記サブクラスタ内の前記少なくとも１つのＲＲＵのそれぞれに対応するクラスタ間較正係数を計算するようにさらに構成されており、
前記送信ユニットは、前記対応するクラスタ間較正係数を前記サブクラスタ内の前記少なくとも１つのＲＲＵのそれぞれへ送信するようにさらに構成されている請求項２７に記載の集中制御装置。
【請求項２９】
命令を含むコンピュータ可読ストレージメディアであって、前記命令は、コンピュータ上で実行されたときに、前記コンピュータが請求項１乃至７のいずれか一項に記載の方法を実行することを可能にし、または前記コンピュータが請求項８乃至１４のいずれか一項に記載の方法を実行することを可能にする、コンピュータ可読ストレージメディア。
【請求項３０】
コンピュータプログラムであって、前記コンピュータプログラムは、コンピュータ上で実行されたときに、前記コンピュータが請求項１乃至７のいずれか一項に記載の方法を実行することを可能にし、または前記コンピュータが請求項８乃至１４のいずれか一項に記載の方法を実行することを可能にする、コンピュータプログラム。
【手続補正２】
【補正対象書類名】明細書
【補正対象項目名】００２９
【補正方法】変更
【補正の内容】
【００２９】
任意選択で、この方法は、集中制御装置によって、Ｎ個のＲＲＵの間における信号品質を周期的に検知するステップと、集中制御装置によって、Ｎ個のＲＲＵのいずれか２つの間における信号品質が、信号品質しきい値以上である状態から、信号品質しきい値未満である状態へ変化した場合には較正パストポロジを再決定するステップとをさらに含む。
【手続補正３】
【補正対象書類名】明細書
【補正対象項目名】００３３
【補正方法】変更
【補正の内容】
【００３３】
第３の態様によれば、ＲＲＵの制御装置が、
集中制御装置によって送信されたリソース構成情報を受信するように構成されているトランシーバユニットであって、リソース構成情報によって示される時間／周波数リソースは、ＲＲＵとｎ個のその他のＲＲＵとの間において較正信号を送信および受信するために使用され、ｎ個のその他のＲＲＵは、集中制御装置によって決定された較正パストポロジ内のＲＲＵであり、ＲＲＵと、ｎ個のその他のＲＲＵのそれぞれとの間における較正パスのホップの量は１であり、較正パストポロジ内のいずれか２つのＲＲＵの間における最も短い較正パスのホップの量は、事前に設定されたホップ量しきい値以下であり、ｎは、１以上の自然数である、トランシーバユニットと、トランシーバユニットによって受信されたリソース構成情報に基づいて、時間／周波数リソース上で較正信号を送信および受信するようにＲＲＵを制御すること、ＲＲＵによって送信および受信された較正信号に基づいてパス情報のｍ個のグループを入手することであって、ｍ＝１であり、またはｍ＝Ｍであり、Ｍは、ＲＲＵのチャネルの量であり、パス情報のｍ個のグループのそれぞれは、ＲＲＵの１つのチャネルと、ｎ個のその他のＲＲＵとの間におけるｎ個の較正パスのパス情報を含む、入手すること、パス情報のｍ個のグループに基づいてｍ個の較正係数を入手すること、ならびにｍ個の較正係数を使用することによってＲＲＵのＭ個のチャネルを補償することを行うように構成されている処理ユニットとを含む。
【手続補正４】
【補正対象書類名】明細書
【補正対象項目名】００５７
【補正方法】変更
【補正の内容】
【００５７】
第８の態様によれば、本出願は、命令を含むコンピュータプログラム製品をさらに提供する。コンピュータ上で実行されたときに、このコンピュータプログラム製品は、コンピュータが第１の態様または第２の態様における方法を実行することを可能にする。
【手続補正５】
【補正対象書類名】明細書
【補正対象項目名】００６０
【補正方法】変更
【補正の内容】
【００６０】
本出願において提供される較正方法は、ＬＴＥシステム、ロングタームエボリューションアドバンスト（ＬＴＥ−ａｄｖａｎｃｅｄ、ＬＴＥ−Ａ）システム、または、さまざまな無線アクセステクノロジーを使用するその他のワイヤレス通信システム、たとえば、符号分割多元接続、周波数分割多元接続、時分割多元接続、直交周波数分割多元接続、またはＣＡなどのアクセステクノロジーを使用するシステムに適用可能であり得る。加えて、この較正方法は、第５世代５Ｇシステムなどのその後の進化したシステムにさらに適用され得る。本出願は、ＪＴ要件を有するシナリオ、たとえば、分散型多入力多出力（ｄｉｓｔｒｉｂｕｔｅｄ  ｍｕｌｔｉｐｌｅ−ｉｎｐｕｔ  ａｎｄ  ｍｕｌｔｉｐｌｅ−ｏｕｔｐｕｔ、ＤＭＩＭＯ）およびユーザ中心のボーダレスネットワークに適用される。
【手続補正６】
【補正対象書類名】明細書
【補正対象項目名】００６２
【補正方法】変更
【補正の内容】
【００６２】
ＲＲＵは、デジタル中間周波数モジュール、トランシーバモジュール、パワー増幅モジュール、およびフィルタリングモジュールを含む。デジタル中間周波数モジュールは、光伝送、デジタルアップおよびダウン周波数変換、アナログ／デジタル（ａｎａｌｏｇ−ｔｏ−ｄｉｇｉｔａｌ、ＡＤ）コンバータなどにおける変調および復調のために使用される。トランシーバモジュールは、中間周波数信号を無線周波数信号へと変換し、無線周波数信号がパワー増幅モジュールおよびフィルタリングモジュールによって処理された後にアンテナポートを使用することによって無線周波数信号を伝送する。ＢＢＵは、チャネルコーディングおよびデコーディング、ベースバンド信号の変調および復調、ならびにプロトコル処理などの機能を完遂し、ＢＢＵと上位レイヤネットワーク要素との間におけるインターフェースを提供し、物理レイヤコアテクノロジーの処理プロセス、たとえば、３Ｇにおける符号分割多元接続（ｃｏｄｅ  ｄｉｖｉｓｉｏｎ  ｍｕｌｔｉｐｌｅ  ａｃｃｅｓｓ、ＣＤＭＡ）処理、およびＬＴＥにおける直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）／多入力多出力（ｍｕｌｔｉｐｌｅ−ｉｎｐｕｔ  ａｎｄ  ｍｕｌｔｉｐｌｅ−ｏｕｔｐｕｔ、ＭＩＭＯ）処理を完遂するように構成されている。ＢＢＵ、ＲＲＵ、およびアンテナは、チャネルを使用することによって接続されている。結合回路は、チャネルを補償するように構成されている。１つのＢＢＵは、少なくとも１つのＲＲＵを制御し得、ＢＢＵどうしは、有線様式で直接接続されている。
【手続補正７】
【補正対象書類名】明細書
【補正対象項目名】００６６
【補正方法】変更
【補正の内容】
【００６６】
集中制御装置は、較正パストポロジを計画すること、較正クラスタを計画すること、較正信号を伝送するために使用される時間／周波数リソースを割り当てること、較正係数を計算することなどを行うように構成されている。
【手続補正８】
【補正対象書類名】明細書
【補正対象項目名】００６８
【補正方法】変更
【補正の内容】
【００６８】
本出願による較正方法の実施形態の方法フローチャートは、図２Ａ、図２Ｂ、及び図３に基づいている。この方法は、下記のステップを含む。
【手続補正９】
【補正対象書類名】明細書
【補正対象項目名】００７１
【補正方法】変更
【補正の内容】
【００７１】
たとえば、ＲＲＵ１からＲＲＵ９において、集中制御装置は、ＲＲＵ１と、ＲＲＵ２、ＲＲＵ５、ＲＲＵ７、およびＲＲＵ８のそれぞれとの間における信号品質が信号品質しきい値以上であり、ＲＲＵ２と、ＲＲＵ８、ＲＲＵ６、およびＲＲＵ３のそれぞれとの間における信号品質が信号品質しきい値以上であり、ＲＲＵ３と、ＲＲＵ５およびＲＲＵ４の両方との間における信号品質が信号品質しきい値以上であり、ＲＲＵ４とＲＲＵ６との間における信号品質が信号品質しきい値以上であり、ＲＲＵ５と、ＲＲＵ６およびＲＲＵ９の両方との間における信号品質が信号品質しきい値以上であり、ＲＲＵ６とＲＲＵ９との間における信号品質が信号品質しきい値以上であり、ＲＲＵ７とＲＲＵ９との間における信号品質がさらに信号品質しきい値以上であるということを、検知を通じて見つけ出す。
【手続補正１０】
【補正対象書類名】明細書
【補正対象項目名】００８１
【補正方法】変更
【補正の内容】
【００８１】
任意選択で、ＲＲＵのＭ個のチャネルが較正されておらず、較正される必要がある場合には、ＲＲＵの制御装置は、ｎ個のその他のＲＲＵとの間で較正信号を送信および受信するようにＭ個のチャネルのそれぞれを制御し得る。
【手続補正１１】
【補正対象書類名】明細書
【補正対象項目名】０１１４
【補正方法】変更
【補正の内容】
【０１１４】
ステップ３０３ａ．  ＲＲＵの制御装置は、受信されたリソース構成情報において搬送されている較正クラスタ番号に基づいて、ＲＲＵによって送信されて較正クラスタ番号に対応する較正信号を制御する。
【手続補正１２】
【補正対象書類名】明細書
【補正対象項目名】０１１７
【補正方法】変更
【補正の内容】
【０１１７】
たとえば、図４において示されている較正パストポロジに基づいて、ＲＲＵ６は、較正信号をＲＲＵ３およびＲＲＵ９へ送信し、ＲＲＵ１は、較正信号をＲＲＵ２、ＲＲＵ５、ＲＲＵ８、およびＲＲＵ７へ送信する。図８において示されているように、ＲＲＵ６によって送信される較正信号、およびＲＲＵ１によって送信される較正信号が直交していない場合には、ＲＲＵ６およびＲＲＵ１は、別々のＧＰエリア内で較正信号を送信すること、すなわち、それらの較正信号を送信するために２つのＧＰエリア内のリソースを占めることが必要である。ＲＲＵ６からの較正信号、およびＲＲＵ１からの較正信号が直交特徴を有する場合には、ＲＲＵ６およびＲＲＵ１の両方は、ＧＰ１エリア内で較正信号を送信することが可能であり、１つのＧＰエリア内だけのリソースが占められる必要がある。
【手続補正１３】
【補正対象書類名】明細書
【補正対象項目名】０１４８
【補正方法】変更
【補正の内容】
【０１４８】
機能モジュールどうしが、機能に対応して区分される場合に、図１０Ａは、前述の実施形態における集中制御装置の可能な概略構造図である。集中制御装置は、決定ユニット１００１、送信ユニット１００２、計算ユニット１００３、受信ユニット１００４、および検知ユニット１００５を含む。決定ユニット１００１は、図３、図５Ａおよび図５Ｂ、ならびに図７Ａおよび図７Ｂにおけるステップ３０１を実行する際に集中制御装置をサポートするように構成されている。送信ユニット１００２は、図３ならびに図７Ａおよび図７Ｂにおけるステップ３０２、ならびに図５Ａおよび図５Ｂにおけるステップ３０５ｃを実行する際に集中制御装置をサポートするように構成されている。計算ユニット１００３は、図５Ａおよび図５Ｂにおけるステップ３０５ｂを実行する際に集中制御装置をサポートするように構成されている。受信ユニット１００４は、図５Ａおよび図５Ｂにおけるステップ３０５ａを実行する際に集中制御装置をサポートするように構成されている。検知ユニット１００５は、図７Ａおよび図７Ｂにおけるステップ３０７を実行する際に集中制御装置をサポートするように構成されている。前述の方法実施形態におけるステップのすべての関連した内容は、対応する機能モジュールの機能説明において引用され得る。本明細書では詳細は記述されない。
【手続補正１４】
【補正対象書類名】明細書
【補正対象項目名】０１５０
【補正方法】変更
【補正の内容】
【０１５０】
処理モジュール１０１１は、プロセッサまたはコントローラであり得、たとえば、ＣＰＵ、汎用プロセッサ、ＤＳＰ、ＡＳＩＣ、ＦＰＧＡもしくは別のプログラマブルロジックデバイス、トランジスタロジックデバイス、ハードウェアコンポーネント、またはそれらの任意の組合せであり得る。処理モジュール１０１１は、本出願において開示されている内容に関連して記述されているさまざまな例示的な論理ブロック、モジュール、および回路を実施または実行し得る。あるいは、プロセッサは、コンピューティング機能を実施するための組合せ、たとえば、１つもしくは複数のマイクロプロセッサの組合せ、またはＤＳＰとマイクロプロセッサとの組合せであり得る。通信モジュール１０１２は、トランシーバ、トランシーバ回路、通信インターフェースなどであり得る。ストレージモジュール１０１３は、メモリであり得る。
【手続補正１５】
【補正対象書類名】明細書
【補正対象項目名】０１５２
【補正方法】変更
【補正の内容】
【０１５２】
図１０Ｃを参照すると、集中制御装置は、プロセッサ１０２１、トランシーバ１０２２、メモリ１０２３、およびバス１０２４を含む。トランシーバ１０２２、プロセッサ１０２１、およびメモリ１０２３は、バス１０２４を使用することによって互いに接続されている。バス１０２４は、ＰＣＩバス、ＥＩＳＡバスなどであり得る。このバスは、アドレスバス、データバス、制御バスなどへと分類され得る。表示を容易にするために、図１０Ｃにおいては、このバスを表すために１つだけの太線が使用されているが、これは、１つのバスしかない、または１つのタイプのバスしかないということを意味しているわけではない。
【手続補正１６】
【補正対象書類名】明細書
【補正対象項目名】０１５５
【補正方法】変更
【補正の内容】
【０１５５】
本出願の実施形態におけるテクノロジーは、必要な一般的なハードウェアプラットフォームに加えてソフトウェアによって実施され得るということを当業者なら明確に理解し得る。そのような理解に基づいて、本出願の実施形態における技術的なソリューションは本質的に、または従来技術に寄与する部分は、コンピュータソフトウェア製品の形態で実施され得る。コンピュータソフトウェア製品は、ＲＯＭ／ＲＡＭ、磁気ディスク、または光ディスクなどのストレージメディアに格納され得、本出願の実施形態またはそれらの実施形態のいくつかの部分において記述されている方法を実行するようにコンピュータデバイス（それは、パーソナルコンピュータ、サーバ、ネットワークデバイスなどであり得る）に指示するためのいくつかの命令を含む。
【国際調査報告】
2021505085.tif 000036
2021505085.tif 000037
2021505085.tif 000038
2021505085.tif 000039